(57)【要約】  本発明は、式（Ｉ）の化合物［式中、Ｔ、Ｑ１、Ｒ１〜Ｒ６、及びＲ３０はそれぞれ、請求項１において定義されたものである］、それらの調製法、及びそれらの使用に関する。【化１】2012500876.tif 000057
2012500876.tif 000002
【特許請求の範囲】
【請求項１】
式（Ｉ）の化合物。
【化１】
2012500876.tif 000044
［式中、
Ｔは、水素、ヒドロキシル、アミノ、モノ−（Ｃ１〜Ｃ１５）−アルキルアミノ、ビス−（Ｃ１〜Ｃ１５）−アルキルアミノ、（Ｃ１〜Ｃ１５）−アルキル、アリール、アリールオキシ、（Ｃ１〜Ｃ１５）−アルコキシ、モノヒドロキシ−（Ｃ１〜Ｃ１５）−アルキル、ポリヒドロキシ−（Ｃ１〜Ｃ１５）−アルキル、若しくは（Ｃ１〜Ｃ１５）−アルキル−アリールオキシを表すか；
又は式（１）の基を表すか、
【化２】
2012500876.tif 000045
又は式（２）の基を表すか、
【化３】
2012500876.tif 000046
又は式（３）の基を表し、
【化４】
2012500876.tif 000047
Ｑ１〜Ｑ４はそれぞれ、式（４）の基を表し、
【化５】
2012500876.tif 000048
［式中、
ｒは、０．１〜２００の有理数を表し、そして式（Ｉ）のいずれか一つの分子の中において同一の意味か又は異なった意味を有し；
Ｒ２５及びＲ２６はそれぞれに依存して、水素、（Ｃ１〜Ｃ１５）−アルキル、単一若しくは複数の酸素で中断された（Ｃ１〜Ｃ１５）−アルキル、アリール、アリールオキシ、（Ｃ１〜Ｃ１５）−アルコキシ、モノヒドロキシ−（Ｃ１〜Ｃ１５）−アルキル又はポリヒドロキシ−（Ｃ１〜Ｃ１５）アルキルを表すが；
ここで、Ｒ２５とＲ２６とが、式（Ｉ）のいずれか一つの分子の中において同一の意味か又は異なった意味を有し；そして
ここで、Ｒ２５とＲ２６とが、式（Ｉ）のいずれか一つの分子の中において異なった意味を有している場合には、それらの異なった意味のものが、ランダムに分布しているか、又は、それぞれ同一の意味のものが規則的に分布しており；そして前記基Ｔ、Ａ及びＢが、前記結合＊又は前記結合＊＊に結合されている］；
Ｒ１〜Ｒ２４はそれぞれ独立して、水素；（Ｃ１〜Ｃ１５）−アルキル；トリフルオロメチル；シクロ−（Ｃ３〜Ｃ８）−アルキル；アリール；ヘテロアリール；ヘテロシクロアルキル；ハロゲン；シアノ；ニトロ；ヒドロキシル；（Ｃ１〜Ｃ１５）−アルコキシ；アリールオキシ；（Ｃ２〜Ｃ１５）−アシル；アリールカルボニル、（Ｃ２〜Ｃ１５）−アシルオキシ；アリールカルボニルオキシ；（Ｃ２〜Ｃ１５）−アシルアミノ；（Ｃ１〜Ｃ１５）−アルキルスルホニルアミノ；アリールスルホニルアミノ；アリールカルボニルアミノ；カルバモイル；Ｎ−モノシクロ−（Ｃ３〜Ｃ８）−アルキル−カルバモイル；Ｎ−モノ−（Ｃ１〜Ｃ１５）−アルキル−カルバモイル；Ｎ，Ｎ−ジシクロ−（Ｃ３〜Ｃ８）−アルキル−カルバモイル；Ｎ，Ｎ−ジ−（Ｃ１〜Ｃ１５）−アルキル−カルバモイル；Ｎ−モノアリール−カルバモイル；Ｎ，Ｎ−ジアリール−カルバモイル；Ｎ−モノシクロ−（Ｃ３〜Ｃ８）−アルキル−Ｎ−モノアリールカルバモイル；Ｎ−モノ−（Ｃ１〜Ｃ１５）−アルキル−Ｎ−モノアリールカルバモイル；（Ｃ１〜Ｃ１５）−アルコキシカルボニル；アリールオキシ−カルボニル；アミノ；モノシクロ−（Ｃ３〜Ｃ８）−アルキル−アミノ；モノ−（Ｃ１〜Ｃ１５）−アルキル−アミノ；ジ（シクロ）−（Ｃ３〜Ｃ８）−アルキル−アミノ；ジ−（Ｃ１〜Ｃ１５）−アルキル−アミノ；モノアリール−アミノ；ジアリール−アミノ；モノシクロ−（Ｃ３〜Ｃ８）−アルキルモノアリールアミノ；モノ−（Ｃ１〜Ｃ１５）−アルキルモノアリール−アミノ；アミノチオカルボニルアミノ；アミノカルボニルアミノ；スルファモイル；Ｎ−モノシクロ−（Ｃ３〜Ｃ８）−アルキル−スルファモイル；Ｎ−モノ−（Ｃ１〜Ｃ１５）−アルキル−スルファモイル；Ｎ，Ｎ−ジシクロ−（Ｃ３〜Ｃ８）−アルキル−スルファモイル；Ｎ，Ｎ−ジ−（Ｃ１〜Ｃ１５）−アルキル−スルファモイル；Ｎ−モノアリール−スルファモイル；Ｎ，Ｎ−ジアリール−スルファモイル；Ｎ−モノシクロ−（Ｃ３〜Ｃ８）−アルキル−Ｎ−モノアリールスルファモイル；Ｎ−モノ−（Ｃ１〜Ｃ１５）−アルキル−Ｎ−モノアリールスルファモイル；アミノスルホニルアミノ；（Ｃ１〜Ｃ１５）−アルキルチオ；アリールチオ；（Ｃ１〜Ｃ１５）−アルキル−スルホニル、若しくはアリールスルホニルを表すか；
又はそれぞれ独立して、（Ｃ１〜Ｃ１５）−アルキル、Ｎ−モノ−（Ｃ１〜Ｃ１５）−アルキルアミノ、Ｎ，Ｎ−ジ−（Ｃ１〜Ｃ１５）−アルキルアミノ、Ｎ−（Ｃ１〜Ｃ１５）−アルキル−Ｎ−シクロ−（Ｃ３〜Ｃ８）−アルキルアミノ、Ｎ−（Ｃ１〜Ｃ１５）−アルキル−Ｎ−アリールアミノ、（Ｃ１〜Ｃ１５）−アルコキシ、（Ｃ１〜Ｃ１５）−アルキルチオ、（Ｃ２〜Ｃ１５）−アシル、若しくは（Ｃ１〜Ｃ１５）−アルキルスルホニルを表し、それらはそれぞれ、ヒドロキシル、（Ｃ３〜Ｃ８）−シクロアルキル、ヘテロアリール、ヘテロシクロ−（Ｃ３〜Ｃ８）−アルキル、アリール、アリールオキシ、（Ｃ１〜Ｃ１５）−アルコキシ、（Ｃ１〜Ｃ１５）−アルキルチオ、アリールチオ、ポリ（オキシ−（Ｃ１〜Ｃ１５）−アルキレン）、ハロゲン、シアノ、（Ｃ１〜Ｃ１５）−アルコキシカルボニル、（Ｃ１〜Ｃ１５）−アルコキシチオカルボニル、（Ｃ２〜Ｃ１５）−アシルオキシ、カルバモイル、スルファモイル、ニトロ、アミノ、（Ｃ２〜Ｃ１５）−アシルアミノ、アリールカルボニルアミノ、（Ｃ１〜Ｃ１５）−アルキルスルホニルアミノ、アリールスルホニルアミノ、アミノカルボニルアミノ、アミノチオカルボニルアミノ、Ｎ−モノ−（Ｃ１〜Ｃ１５）−アルキルアミノ、Ｎ−モノ−（ヒドロキシ−（Ｃ１〜Ｃ１５）−アルキル）アミノ、Ｎ，Ｎ−ビス−（ヒドロキシ−（Ｃ１〜Ｃ１５）−アルキル）アミノ、Ｎ−モノ−（Ｃ１〜Ｃ１５）−アルコキシ−（Ｃ１〜Ｃ１５）−アルキル）アミノ、Ｎ，Ｎ−ビス−（Ｃ１〜Ｃ１５）−アルコキシ−（Ｃ１〜Ｃ１５）−アルキル）アミノ、Ｎ−モノ−（Ｃ１〜Ｃ１５）−アルコキシ−（Ｃ１〜Ｃ１５）−アルキル）アミノ、Ｎ−モノ−（Ｃ１〜Ｃ１５）−アルキルチオ−（Ｃ１〜Ｃ１５）−アルキル）アミノ、Ｎ−ビス−（Ｃ１〜Ｃ１５）−アルキルチオ−（Ｃ１〜Ｃ１５）−アルキル）アミノ、Ｎ−モノシクロ−（Ｃ３〜Ｃ８）−アルキルアミノ、Ｎ−モノアリール−アミノ、Ｎ，Ｎ−ジ−（Ｃ１〜Ｃ１５）−アルキル−アミノ、Ｎ，Ｎ−ジシクロ−（Ｃ３〜Ｃ８）−アルキルアミノ、Ｎ，Ｎ−ジアリール−アミノ、Ｎ−（Ｃ１〜Ｃ１５）−アルキル−Ｎ−アリール−アミノ、Ｎ−シクロ−（Ｃ３〜Ｃ８）−アルキル−Ｎ−アリール−アミノ、若しくはアミノスルホニルアミノからなる群より選択される１個又は複数の置換基によって置換されているか；
又は、それぞれ独立して、アリール、モノアリール−アミノ；ジアリール−アミノ、アリールオキシ、アリールチオ、アリールカルボニル、アリールカルボニルオキシ；アリールスルホニルアミノ；アリールカルボニルアミノ、Ｎ−モノアリール−カルバモイル；Ｎ，Ｎ−ジアリール−カルバモイル、Ｎ−モノシクロ−（Ｃ３〜Ｃ８）−アルキル−Ｎ−モノアリールカルバモイル；Ｎ−モノ−（Ｃ１〜Ｃ１５）−アルキル−Ｎ−モノアリールカルバモイル；モノシクロ−（Ｃ３〜Ｃ８）−アルキルモノ−アリールアミノ；モノ−（Ｃ１〜Ｃ１５）−アルキルモノアリール−アミノ；Ｎ−モノアリール−スルファモイル；Ｎ，Ｎ−ジアリール−スルファモイル；Ｎ−モノシクロ−（Ｃ３〜Ｃ８）−アルキル−Ｎ−モノアリールスルファモイル；Ｎ−モノ−（Ｃ１〜Ｃ１５）−アルキル−Ｎ−モノアリールスルファモイル、若しくはアリールスルホニルを表し、ここで、前記アリール基は、ヒドロキシル、（Ｃ１〜Ｃ１５）−アルキル、（Ｃ３〜Ｃ８）−シクロアルキル、ヘテロアリール、ヘテロシクロ−（Ｃ３〜Ｃ８）−アルキル、（Ｃ１〜Ｃ１５）−アルコキシ、（Ｃ１〜Ｃ１５）−アルキルチオ、ポリ（オキシ−（Ｃ１〜Ｃ１５）−アルキレン）、ハロゲン、シアノ、（Ｃ１〜Ｃ１５）−アルコキシカルボニル、（Ｃ１〜Ｃ１５）−アルコキシチオカルボニル、（Ｃ２〜Ｃ１５）−アシルオキシ、カルバモイル、Ｎ−モノシクロ−（Ｃ３〜Ｃ８）−アルキル−カルバモイル、Ｎ−モノ−（Ｃ１〜Ｃ１５）−アルキル−カルバモイル、Ｎ，Ｎ−ジシクロ−（Ｃ３〜Ｃ８）−アルキル−カルバモイル、Ｎ，Ｎ−ジ−（Ｃ１〜Ｃ１５）−アルキル−カルバモイル、Ｎ−モノアリール−カルバモイル、Ｎ，Ｎ−ジアリール−カルバモイル、Ｎ−モノシクロ−（Ｃ３〜Ｃ８）−アルキル−Ｎ−モノアリールカルバモイル、Ｎ−モノ−（Ｃ１〜Ｃ１５）−アルキル−Ｎ−モノアリールカルバモイル、スルファモイル、Ｎ−モノシクロ−（Ｃ３〜Ｃ８）−アルキル−スルファモイル、Ｎ−モノ−（Ｃ１〜Ｃ１５）−アルキル−スルファモイル、Ｎ−モノ−（ヒドロキシ−（Ｃ１〜Ｃ１５）−アルキル）スルファモイル、Ｎ，Ｎ−ジシクロ−（Ｃ３〜Ｃ８）−アルキル−スルファモイル、Ｎ，Ｎ−ジ−（Ｃ１〜Ｃ１５）−アルキル−スルファモイル、Ｎ−モノアリール−スルファモイル、Ｎ，Ｎ−ジアリール−スルファモイル、Ｎ−モノシクロ−（Ｃ３〜Ｃ８）−アルキル−Ｎ−モノアリールスルファモイル、Ｎ−モノ−（Ｃ１〜Ｃ１５）−アルキル−Ｎ−モノアリールスルファモイル、ニトロ、アミノ、（Ｃ２〜Ｃ１５）−アシルアミノ、アリールカルボニルアミノ、（Ｃ１〜Ｃ１５）−アルキルスルホニルアミノ、アリールスルホニルアミノ、アミノカルボニルアミノ、アミノチオカルボニルアミノ、Ｎ−モノ−（Ｃ１〜Ｃ１５）−アルキルアミノ、Ｎ−モノ−（ヒドロキシ−（Ｃ１〜Ｃ１５）−アルキル）アミノ、Ｎ，Ｎ−ビス−（ヒドロキシ−（Ｃ１〜Ｃ１５）−アルキル）アミノ、Ｎ−モノ（（Ｃ１〜Ｃ１５）−アルコキシ−（Ｃ１〜Ｃ１５）−アルキル）アミノ、Ｎ，Ｎ−ビス−（（Ｃ１〜Ｃ１５）−アルコキシ−（Ｃ１〜Ｃ１５）−アルキル）アミノ、Ｎ−モノ−（（Ｃ１〜Ｃ１５）−アルコキシ−（Ｃ１〜Ｃ１５）−アルキル）アミノ、Ｎ−モノ−（（Ｃ１〜Ｃ１５）−アルキルチオ−（Ｃ１〜Ｃ１５）−アルキル）アミノ、Ｎ−ビス−（（Ｃ１〜Ｃ１５）−アルキルチオ−（Ｃ１〜Ｃ１５）−アルキル）アミノ、Ｎ−モノシクロ−（Ｃ３〜Ｃ８）−アルキルアミノ、Ｎ−モノアリール−アミノ、Ｎ，Ｎ−ジ−（Ｃ１〜Ｃ１５）−アルキル−アミノ、Ｎ，Ｎ−ジシクロ−（Ｃ３〜Ｃ８）−アルキルアミノ、Ｎ，Ｎ−ジアリール−アミノ、Ｎ−（Ｃ１〜Ｃ１５）−アルキル−Ｎ−アリール−アミノ、Ｎ−シクロ−（Ｃ３〜Ｃ８）−アルキル−Ｎ−アリール−アミノ、若しくはアミノスルホニルアミノからなる群より選択される１個又は複数の置換基によって置換されており；
Ｒ３０〜Ｒ３３はそれぞれ独立して、水素、（Ｃ１〜Ｃ１５）−アルキル、単一若しくは複数の酸素で中断された（Ｃ１〜Ｃ１５）−アルキル、アリール、アリール−（Ｃ１〜Ｃ１５）−アルキル、（Ｃ１〜Ｃ１５）−アルキル−アリール、アリールオキシ、（Ｃ１〜Ｃ１５）−アルコキシ、モノヒドロキシ−（Ｃ１〜Ｃ１５）−アルキル、又はポリヒドロキシ−（Ｃ１〜Ｃ１５）−アルキルを表し、そして式（Ｉ）のいずれか一つの分子の中において同一の意味か又は異なった意味を有し；
ｘは、１〜３０の数を表し；
ｙ、ｚ及びｔはそれぞれ独立して、０〜３０の数を表し；
Ａは、式（５）の基を表し、
【化６】
2012500876.tif 000049
［式中、
ａ、ｂ及びｃはそれぞれ独立して、０〜１５の数を表し；
Ｒ２７は、水素、（Ｃ１〜Ｃ１５）−アルキル、単一若しくは複数の酸素で中断された（Ｃ１〜Ｃ１５）−アルキル、アリールオキシ、（Ｃ１〜Ｃ１５）−アルコキシ、モノヒドロキシ−（Ｃ１〜Ｃ１５）アルキル、又はポリヒドロキシ（Ｃ１〜Ｃ１５）−アルキルを表す］；そして
Ｂは、式（６）の基を表す。
【化７】
2012500876.tif 000050
［式中、
ａ、ｂ、ｃ及びｄはそれぞれ独立して、０〜１５の数を表す］］
【請求項２】
式（Ｉａ）に合致する、請求項１に記載の化合物。
【化８】
2012500876.tif 000051
［式中、
Ｔ１は、水素、ヒドロキシル、アミノ、モノ−（Ｃ１〜Ｃ１５）アルキルアミノ、ビス−（Ｃ１〜Ｃ１５）アルキルアミノ、（Ｃ１〜Ｃ１５）アルキル、アリール、アリールオキシ、（Ｃ１〜Ｃ１５）−アルコキシ、モノヒドロキシ−（Ｃ１〜Ｃ１５）−アルキル、ポリヒドロキシ−（Ｃ１〜Ｃ１５）−アルキル、又は（Ｃ１〜Ｃ１５）−アルキル−アリールオキシを表し；
Ｒ１〜Ｒ６はそれぞれ独立して、水素；（Ｃ１〜Ｃ１５）−アルキル；トリフルオロメチル；アリール；ハロゲン；シアノ；ニトロ；ヒドロキシル；（Ｃ１〜Ｃ１５）−アルコキシ；アリールオキシ；アリールカルボニル、（Ｃ２〜Ｃ１５）−アシルアミノ；（Ｃ１〜Ｃ１５）−アルキルスルホニルアミノ；アリールスルホニルアミノ；アリールカルボニルアミノ；カルバモイル；アミノ；モノシクロ−（Ｃ３〜Ｃ８）−アルキル−アミノ；モノ−（Ｃ１〜Ｃ１５）−アルキル−アミノ；ジ（シクロ）−（Ｃ３〜Ｃ８）−アルキル−アミノ；ジ−（Ｃ１〜Ｃ１５）−アルキル−アミノ；モノアリール−アミノ；ジアリール−アミノ；モノシクロ−（Ｃ３〜Ｃ８）−アルキルモノアリールアミノ；モノ−（Ｃ１〜Ｃ１５）−アルキルモノアリールアミノ；アミノカルボニルアミノ；スルファモイル；アミノスルホニルアミノ；（Ｃ１〜Ｃ１５）−アルキルチオ；アリールチオ、若しくは（Ｃ１〜Ｃ１５）−アルキルスルホニルを表すか；
又はそれぞれ独立して、（Ｃ１〜Ｃ１５）−アルキル、Ｎ−モノ−（Ｃ１〜Ｃ１５）−アルキルアミノ、Ｎ−モノシクロ−（Ｃ３〜Ｃ８）−アルキルアミノ、Ｎ，Ｎ−ジ−（Ｃ１〜Ｃ１５）−アルキルアミノ、Ｎ，Ｎ−ジシクロ−（Ｃ３〜Ｃ８）−アルキルアミノ、Ｎ−（Ｃ１〜Ｃ１５）−アルキル−Ｎ−シクロ−（Ｃ３〜Ｃ８）−アルキルアミノ、Ｎ−（Ｃ１〜Ｃ１５）−アルキル−Ｎ−アリールアミノ、Ｎ−アリール−Ｎ−シクロ−（Ｃ３〜Ｃ８）−アルキルアミノ、（Ｃ１〜Ｃ１５）−アルコキシ、（Ｃ１〜Ｃ１５）−アルキルチオ、若しくは（Ｃ１〜Ｃ１５）−アルキルスルホニルを表し、それらはそれぞれ、ヒドロキシル、（Ｃ３〜Ｃ８）−シクロアルキル、ヘテロアリール、ヘテロシクロアルキル、アリール、アリールオキシ、（Ｃ１〜Ｃ１５）−アルコキシ、ハロゲン、シアノ、（Ｃ１〜Ｃ１５）−アルコキシカルボニル、カルバモイル、スルファモイル、ニトロ、アミノ、（Ｃ２〜Ｃ１５）−アシルアミノ、アリールカルボニルアミノ、（Ｃ１〜Ｃ１５）−アルキルスルホニルアミノ、アリールスルホニルアミノ、アミノカルボニルアミノ、及びアミノスルホニルアミノからなる群より選択される１個又は複数の置換基によって置換されているか；
又はそれぞれ独立して、アリール、モノアリール−アミノ；ジアリール−アミノ、アリールオキシ、アリールチオ、アリールカルボニル、アリールカルボニルオキシ；アリールスルホニルアミノ；アリールカルボニルアミノ、モノシクロ−（Ｃ３〜Ｃ８）−アルキルモノアリールアミノ；モノ−（Ｃ１〜Ｃ１５）−アルキルモノアリール−アミノ、若しくはアリールスルホニルを表し、ここで、アリールは、ヒドロキシル、（Ｃ１〜Ｃ１５）−アルキル、（Ｃ１〜Ｃ１５）−アルコキシ、（Ｃ１〜Ｃ１５）−アルキルチオ、ハロゲン、シアノ、（Ｃ１〜Ｃ１５）−アルコキシカルボニル、（Ｃ２〜Ｃ１５）−アシルオキシ、カルバモイル、Ｎ−モノ−（Ｃ１〜Ｃ１５）−アルキル−カルバモイル、Ｎ−モノ−（ヒドロキシ−（Ｃ１〜Ｃ１５）−アルキル）カルバモイル、スルファモイル、Ｎ−モノ−（Ｃ１〜Ｃ１５）−アルキル−スルファモイル、Ｎ−モノ−（ヒドロキシ−（Ｃ１〜Ｃ１５）−アルキル）スルファモイル、ニトロ、アミノ、（Ｃ２〜Ｃ１５）−アシルアミノ、（Ｃ１〜Ｃ１５）−アルキルスルホニルアミノ、アミノカルボニルアミノ、Ｎ−モノ−（Ｃ１〜Ｃ１５）−アルキルアミノ、Ｎ−モノ−（ヒドロキシ−（Ｃ１〜Ｃ１５）−アルキル）アミノ、Ｎ，Ｎ−ビス−（ヒドロキシ−（Ｃ１〜Ｃ１５）−アルキル）アミノ、Ｎ，Ｎ−ジ−（Ｃ１〜Ｃ１５）−アルキル−アミノ、及びアミノスルホニルアミノからなる群より選択される１個又は複数の置換基によって置換されており；
Ｒ３０及びＲ３１はそれぞれ独立して、水素若しくは（Ｃ１〜Ｃ１５）−アルキル；単一若しくは複数の酸素で中断された（Ｃ１〜Ｃ１５）アルキル、アリール、アリール−（Ｃ１〜Ｃ１５）−アルキル、（Ｃ１〜Ｃ１５）−アルキル−アリール、アリールオキシ、（Ｃ１〜Ｃ１５）−アルコキシ、モノヒドロキシ−（Ｃ１〜Ｃ１５）−アルキル、又はポリヒドロキシ−（Ｃ１〜Ｃ１５）−アルキルを表し；
ｘは、１〜１０の数を表し；そして
Ｑ１は、請求項１において定義されたものである］
【請求項３】
式（Ｉｂ）に合致する、請求項１に記載の化合物。
【化９】
2012500876.tif 000052
［式中、
Ｒ１〜Ｒ１２はそれぞれ独立して、水素；（Ｃ１〜Ｃ１５）−アルキル；トリフルオロメチル；アリール；ハロゲン；シアノ；ニトロ；ヒドロキシル；（Ｃ１〜Ｃ５）−アルコキシ；アリールオキシ；アリールカルボニル、（Ｃ２〜Ｃ１５）−アシル−アミノ；（Ｃ１〜Ｃ１５）−アルキルスルホニルアミノ；アリールスルホニルアミノ；アリールカルボニルアミノ；カルバモイル；アミノ；モノシクロ−（Ｃ３〜Ｃ８）−アルキル−アミノ；モノ−（Ｃ１〜Ｃ５）−アルキル−アミノ；ジ（シクロ）−（Ｃ３〜Ｃ８）−アルキル−アミノ；ジ−（Ｃ１〜Ｃ１５）−アルキル−アミノ；モノアリール−アミノ；ジアリール−アミノ；モノシクロ−（Ｃ３〜Ｃ８）−アルキルモノアリールアミノ；モノ−（Ｃ１〜Ｃ１５）−アルキルモノアリールアミノ；アミノカルボニルアミノ；スルファモイル；アミノスルホニルアミノ；（Ｃ１〜Ｃ１５）−アルキルチオ；アリールチオ、若しくは（Ｃ１〜Ｃ１５）−アルキルスルホニルを表すか；
又はそれぞれ独立して、（Ｃ１〜Ｃ１５）−アルキル、Ｎ−モノ−（Ｃ１〜Ｃ１５）−アルキルアミノ、Ｎ−モノシクロ−（Ｃ３〜Ｃ８）−アルキルアミノ、Ｎ，Ｎ−ジ−（Ｃ１〜Ｃ１５）−アルキルアミノ、Ｎ，Ｎ−ジシクロ−（Ｃ３〜Ｃ８）−アルキルアミノ、Ｎ−（Ｃ１〜Ｃ１５）−アルキル−Ｎ−シクロ−（Ｃ３〜Ｃ８）−アルキルアミノ、Ｎ−（Ｃ１〜Ｃ１５）−アルキル−Ｎ−アリールアミノ、Ｎ−アリール−Ｎ−シクロ−（Ｃ３〜Ｃ８）−アルキルアミノ、（Ｃ１〜Ｃ１５）−アルコキシ、（Ｃ１〜Ｃ１５）−アルキルチオ、若しくは（Ｃ１〜Ｃ１５）−アルキルスルホニルを表し、それらはそれぞれ、ヒドロキシル、ヘテロアリール、ヘテロシクロアルキル、アリール、アリールオキシ、（Ｃ１〜Ｃ１５）−アルコキシ、ハロゲン、シアノ、（Ｃ１〜Ｃ１５）−アルコキシカルボニル、カルバモイル、スルファモイル、ニトロ、アミノ、（Ｃ２〜Ｃ１５）−アシルアミノ、アリールカルボニルアミノ、（Ｃ１〜Ｃ１５）−アルキルスルホニルアミノ、アリールスルホニルアミノ、アミノカルボニルアミノ、及びアミノスルホニルアミノからなる群より選択される１個又は複数の置換基によって置換されているか；
又はそれぞれ独立して、アリール、モノアリール−アミノ；ジアリール−アミノ、アリールオキシ、アリールチオ、アリールカルボニル、アリールカルボニルオキシ；アリールスルホニルアミノ；アリールカルボニルアミノ、モノシクロ−（Ｃ３〜Ｃ８）−アルキルモノアリールアミノ；モノ−（Ｃ１〜Ｃ１５）−アルキルモノアリール−アミノ、若しくはアリールスルホニルを表し、ここで、アリールは、ヒドロキシル、（Ｃ１〜Ｃ１５）−アルキル、（Ｃ１〜Ｃ１５）−アルコキシ、（Ｃ１〜Ｃ１５）−アルキルチオ、ハロゲン、シアノ、（Ｃ１〜Ｃ１５）−アルコキシカルボニル、（Ｃ２〜Ｃ１５）−アシルオキシ、カルバモイル、Ｎ−モノ−（Ｃ１〜Ｃ１５）−アルキル−カルバモイル、Ｎ−モノ−（ヒドロキシ−（Ｃ１〜Ｃ１５）−アルキル）カルバモイル、スルファモイル、Ｎ−モノ−（Ｃ１〜Ｃ１５）−アルキル−スルファモイル、Ｎ−モノ−（ヒドロキシ−（Ｃ１〜Ｃ１５）−アルキル）スルファモイル、ニトロ、アミノ、（Ｃ２〜Ｃ１５）−アシルアミノ、（Ｃ１〜Ｃ１５）−アルキルスルホニルアミノ、アミノカルボニルアミノ、Ｎ−モノ−（Ｃ１〜Ｃ１５）−アルキルアミノ、Ｎ−モノ−（ヒドロキシ−（Ｃ１〜Ｃ１５）−アルキル）アミノ、Ｎ，Ｎ−ビス−（ヒドロキシ−（Ｃ１〜Ｃ１５）−アルキル）アミノ、Ｎ，Ｎ−ジ−（Ｃ１〜Ｃ１５）−アルキル−アミノ、及びアミノスルホニルアミノからなる群より選択される１個又は複数の置換基によって置換されており；
Ｒ３０及びＲ３１はそれぞれ独立して、水素、（Ｃ１〜Ｃ１５）−アルキル；単一若しくは複数の酸素で中断された（Ｃ１〜Ｃ１５）アルキル、アリール、アリール−（Ｃ１〜Ｃ１５）−アルキル、（Ｃ１〜Ｃ１５）−アルキル−アリール、アリールオキシ、（Ｃ１〜Ｃ１５）−アルコキシ、モノヒドロキシ−（Ｃ１〜Ｃ１５）−アルキル、又はポリヒドロキシ−（Ｃ１〜Ｃ１５）−アルキルを表し；
ｘは、１〜１０の数を表し；そして
ｙは、０〜１０の数を表し；そして
Ｑ１は、請求項１において定義されたものである］
【請求項４】
式（Ｉｃ）に合致する、請求項１に記載の化合物。
【化１０】
2012500876.tif 000053
［式中、
Ｒ１〜Ｒ１８はそれぞれ独立して、水素、（Ｃ１〜Ｃ５）−アルキル；トリフルオロメチル；アリール；ハロゲン；シアノ；ニトロ；ヒドロキシル；（Ｃ１〜Ｃ１５）−アルコキシ；アリールオキシ；アリールカルボニル、（Ｃ２〜Ｃ１５）−アシルアミノ；（Ｃ１〜Ｃ１５）−アルキルスルホニルアミノ；アリールスルホニルアミノ；アリールカルボニルアミノ；カルバモイル；アミノ；モノシクロ−（Ｃ３〜Ｃ８）−アルキル−アミノ；モノ−（Ｃ１〜Ｃ１５）−アルキル−アミノ；ジ（シクロ）−（Ｃ３〜Ｃ８）−アルキル−アミノ；ジ−（Ｃ１〜Ｃ１５）−アルキル−アミノ；モノアリール−アミノ；ジアリール−アミノ；モノシクロ−（Ｃ３〜Ｃ８）−アルキルモノアリールアミノ；モノ−（Ｃ１〜Ｃ１５）−アルキルモノアリールアミノ；アミノカルボニルアミノ；スルファモイル；アミノスルホニルアミノ；（Ｃ１〜Ｃ１５）−アルキルチオ；アリールチオ、若しくは（Ｃ１〜Ｃ４）−アルキルスルホニルを表すか；
又はそれぞれ独立して、（Ｃ１〜Ｃ１５）−アルキル、Ｎ−モノ−（Ｃ１〜Ｃ１５）−アルキルアミノ、Ｎ−モノシクロ−（Ｃ３〜Ｃ８）−アルキルアミノ、Ｎ，Ｎ−ジ−（Ｃ１〜Ｃ１５）−アルキルアミノ、Ｎ，Ｎ−ジシクロ−（Ｃ３〜Ｃ８）−アルキルアミノ、Ｎ−（Ｃ１〜Ｃ１５）−アルキル−Ｎ−シクロ−（Ｃ３〜Ｃ８）−アルキルアミノ、Ｎ−（Ｃ１〜Ｃ１５）−アルキル−Ｎ−アリールアミノ、Ｎ−アリール−Ｎ−シクロ−（Ｃ３〜Ｃ８）−アルキルアミノ、（Ｃ１〜Ｃ１５）−アルコキシ、（Ｃ１〜Ｃ１５）−アルキルチオ、若しくは（Ｃ１〜Ｃ１５）−アルキルスルホニルを表し、それらはそれぞれ、ヒドロキシル、ヘテロアリール、ヘテロシクロアルキル、アリール、アリールオキシ、（Ｃ１〜Ｃ１５）−アルコキシ、ハロゲン、シアノ、（Ｃ１〜Ｃ１５）−アルコキシカルボニル、カルバモイル、スルファモイル、ニトロ、アミノ、（Ｃ２〜Ｃ１５）−アシルアミノ、アリールカルボニルアミノ、（Ｃ１〜Ｃ１５）−アルキルスルホニルアミノ、アリールスルホニルアミノ、アミノカルボニルアミノ、及びアミノスルホニルアミノからなる群より選択される１個又は複数の置換基によって置換されているか；
又はそれぞれ独立して、アリール、モノアリール−アミノ；ジアリール−アミノ、アリールオキシ、アリールチオ、アリールカルボニル、アリールカルボニルオキシ；アリールスルホニルアミノ；アリールカルボニルアミノ、モノシクロ−（Ｃ３〜Ｃ８）−アルキルモノアリールアミノ；モノ−（Ｃ１〜Ｃ１５）−アルキルモノアリール−アミノ、若しくはアリールスルホニルを表し、ここで、アリールは、ヒドロキシル、（Ｃ１〜Ｃ１５）−アルキル、（Ｃ１〜Ｃ１５）−アルコキシ、（Ｃ１〜Ｃ１５）−アルキルチオ、ハロゲン、シアノ、（Ｃ１〜Ｃ１５）−アルコキシカルボニル、（Ｃ２〜Ｃ１５）−アシルオキシ、カルバモイル、Ｎ−モノ−（Ｃ１〜Ｃ１５）−アルキル−カルバモイル、Ｎ−モノ−（ヒドロキシ−（Ｃ１〜Ｃ１５）−アルキル）カルバモイル、スルファモイル、Ｎ−モノ−（Ｃ１〜Ｃ１５）−アルキル−スルファモイル、Ｎ−モノ−（ヒドロキシ−（Ｃ１〜Ｃ１５）−アルキル）スルファモイル、ニトロ、アミノ、（Ｃ２〜Ｃ１５）−アシルアミノ、（Ｃ１〜Ｃ１５）−アルキルスルホニルアミノ、アミノカルボニルアミノ、Ｎ−モノ−（Ｃ１〜Ｃ１５）−アルキルアミノ、Ｎ−モノ−（ヒドロキシ−（Ｃ１〜Ｃ１５）−アルキル）アミノ、Ｎ，Ｎ−ビス−（ヒドロキシ−（Ｃ１〜Ｃ１５）−アルキル）アミノ、Ｎ，Ｎ−ジ−（Ｃ１〜Ｃ１５）−アルキル−アミノ、及びアミノスルホニルアミノからなる群より選択される１個又は複数の置換基によって置換されており；
Ｒ３０〜Ｒ３２はそれぞれ独立して、水素、（Ｃ１〜Ｃ１５）−アルキル；単一若しくは複数の酸素で中断された（Ｃ１〜Ｃ１５）−アルキル、アリール、アリール−（Ｃ１〜Ｃ１５）−アルキル、（Ｃ１〜Ｃ１５）−アルキル−アリール、アリールオキシ、（Ｃ１〜Ｃ１５）−アルコキシ、モノヒドロキシ−（Ｃ１〜Ｃ１５）−アルキル、又はポリヒドロキシ−（Ｃ１〜Ｃ１５）−アルキルを表し；
ｘは、１〜１０の数を表し；
ｙは、０〜１０の数を表し；そして
ｚは、０〜１０の数を表し；そして
Ｑ１、Ｑ２、Ｑ３及びＡはそれぞれ、請求項１において定義されたものである］
【請求項５】
式（Ｉｄ）に合致する、請求項１に記載の化合物。
【化１１】
2012500876.tif 000054
［式中、
Ｒ１〜Ｒ２４はそれぞれ独立して、水素；（Ｃ１〜Ｃ５）−アルキル；トリフルオロメチル；アリール；ハロゲン；シアノ；ニトロ；ヒドロキシル；（Ｃ１〜Ｃ１５）−アルコキシ；アリールオキシ；アリールカルボニル、（Ｃ２〜Ｃ１５）−アシルアミノ；（Ｃ１〜Ｃ１５）−アルキルスルホニルアミノ；アリールスルホニルアミノ；アリールカルボニルアミノ；カルバモイル；アミノ；モノシクロ−（Ｃ３〜Ｃ８）−アルキル−アミノ；モノ−（Ｃ１〜Ｃ１５）−アルキル−アミノ；ジ（シクロ）−（Ｃ３〜Ｃ８）−アルキル−アミノ；ジ−（Ｃ１〜Ｃ１５）−アルキル−アミノ；モノアリール−アミノ；ジアリール−アミノ；モノシクロ−（Ｃ３〜Ｃ８）−アルキルモノアリールアミノ；モノ−（Ｃ１〜Ｃ１５）−アルキルモノアリールアミノ；アミノカルボニルアミノ；スルファモイル；アミノスルホニルアミノ；（Ｃ１〜Ｃ１５）−アルキルチオ；アリールチオ、若しくは（Ｃ１〜Ｃ４）−アルキルスルホニルを表すか；
又はそれぞれ独立して、（Ｃ１〜Ｃ１５）−アルキル、Ｎ−モノ−（Ｃ１〜Ｃ１５）−アルキルアミノ、Ｎ−モノシクロ−（Ｃ３〜Ｃ８）−アルキルアミノ、Ｎ，Ｎ−ジ−（Ｃ１〜Ｃ１５）−アルキルアミノ、Ｎ，Ｎ−ジシクロ−（Ｃ３〜Ｃ８）−アルキルアミノ、Ｎ−（Ｃ１〜Ｃ１５）−アルキル−Ｎ−シクロ−（Ｃ３〜Ｃ８）−アルキルアミノ、Ｎ−（Ｃ１〜Ｃ１５）−アルキル−Ｎ−アリールアミノ、Ｎ−アリール−Ｎ−シクロ−（Ｃ３〜Ｃ８）−アルキルアミノ、（Ｃ１〜Ｃ１５）−アルコキシ、（Ｃ１〜Ｃ１５）−アルキルチオ、若しくは（Ｃ１〜Ｃ１５）−アルキルスルホニルを表し、それらはそれぞれ、ヒドロキシル、ヘテロアリール、ヘテロシクロアルキル、アリール、アリールオキシ、（Ｃ１〜Ｃ１５）−アルコキシ、ハロゲン、シアノ、（Ｃ１〜Ｃ１５）−アルコキシカルボニル、カルバモイル、スルファモイル、ニトロ、アミノ、（Ｃ２〜Ｃ１５）−アシルアミノ、アリールカルボニルアミノ、（Ｃ１〜Ｃ１５）−アルキルスルホニルアミノ、アリール−スルホニル−アミノ、アミノカルボニルアミノ、及びアミノスルホニルアミノからなる群より選択される１個又は複数の置換基によって置換されているか；
又はそれぞれ独立して、アリール、モノアリール−アミノ；ジアリール−アミノ、アリールオキシ、アリールチオ、アリールカルボニル、アリールカルボニルオキシ；アリールスルホニルアミノ；アリールカルボニルアミノ、モノシクロ−（Ｃ３〜Ｃ８）−アルキルモノアリールアミノ；モノ−（Ｃ１〜Ｃ１５）−アルキルモノアリール−アミノ、若しくはアリールスルホニルを表し、ここで、アリールは、ヒドロキシル、（Ｃ１〜Ｃ１５）−アルキル、（Ｃ１〜Ｃ１５）−アルコキシ、（Ｃ１〜Ｃ１５）−アルキルチオ、ハロゲン、シアノ、（Ｃ１〜Ｃ１５）−アルコキシカルボニル、（Ｃ２〜Ｃ１５）−アシルオキシ、カルバモイル、Ｎ−モノ−（Ｃ１〜Ｃ１５）−アルキル−カルバモイル、Ｎ−モノ−（ヒドロキシ−（Ｃ１〜Ｃ１５）−アルキル）カルバモイル、スルファモイル、Ｎ−モノ−（Ｃ１〜Ｃ１５）−アルキル−スルファモイル、Ｎ−モノ−（ヒドロキシ−（Ｃ１〜Ｃ１５）−アルキル）スルファモイル、ニトロ、アミノ、（Ｃ２〜Ｃ１５）−アシルアミノ、（Ｃ１〜Ｃ１５）−アルキルスルホニルアミノ、アミノカルボニルアミノ、Ｎ−モノ−（Ｃ１〜Ｃ１５）−アルキルアミノ、Ｎ−モノ−（ヒドロキシ−（Ｃ１〜Ｃ１５）−アルキル）アミノ、Ｎ，Ｎ−ビス−（ヒドロキシ−（Ｃ１〜Ｃ１５）−アルキル）アミノ、Ｎ，Ｎ−ジ−（Ｃ１〜Ｃ１５）−アルキル−アミノ、及びアミノスルホニルアミノからなる群より選択される１個又は複数の置換基によって置換されており；
Ｒ３０〜Ｒ３３はそれぞれ独立して、水素、（Ｃ１〜Ｃ１５）−アルキル；単一若しくは複数の酸素で中断された（Ｃ１〜Ｃ１５）アルキル、アリール、アリール−（Ｃ１〜Ｃ１５）−アルキル、（Ｃ１〜Ｃ１５）−アルキル−アリール、アリールオキシ、（Ｃ１〜Ｃ１５）−アルコキシ、モノヒドロキシ−（Ｃ１〜Ｃ１５）−アルキル、又はポリヒドロキシ−（Ｃ１〜Ｃ１５）−アルキルを表し；
ｘは、１〜１０の数を表し；
ｙは、０〜１０の数を表し；
ｚは、０〜１０の数を表し；そして
ｔは、０〜１０の数を表し；そして
Ｑ１、Ｑ２、Ｑ３、Ｑ４及びＢはそれぞれ、請求項１において定義されたものである］
【請求項６】
請求項１〜５のいずれか１項に記載の式（１）の化合物を調製するためのプロセスであって、式（ＩＩ）の化合物
【化１２】
2012500876.tif 000055
［式中、Ｒ３０、Ｑ１、Ｔ及びｘはそれぞれ、請求項１において定義されたものである］を、式（ＩＩＩ）の化合物
【化１３】
2012500876.tif 000056
［式中、Ｒ１〜Ｒ６はそれぞれ、請求項１において定義されたものであり、そしてＸ１及びＸ２はそれぞれ、−ＣＯＯＨ若しくは−ＣＮを表すか、又は一体となって−ＣＯ−Ｏ−ＯＣ−若しくは−ＣＯ−ＮＨ−ＯＣ−を表す］と反応させる、プロセス。
【請求項７】
ポリマーを着色するための、請求項１〜５のいずれか１項に記載の式（１）の化合物の使用。
【請求項８】
請求項１〜５のいずれか１項に記載の式（１）の化合物及びキャリヤー物質を含む、マスターバッチ。
【発明の詳細な説明】
【背景技術】
【０００１】
染料を用いて各種の方法によりポリマーを着色することができる。一つの方法は、ポリマーの大量着色であって、その方法では、たとえば顔料又は染料をポリマーと混合し、そのポリマーを溶融させて、その染料をポリマーのマトリックスの中に送り込む。その他のプロセスとしては、着色された、あるいはさらに詳しくは、溶液又は分散体からポリマーの中に拡散する染料によって染色されたポリマーが挙げられるが、それらの例は、たとえば、分散染料、カチオン染料、酸性染料、含金属染料（metallized dyes）又は反応性染料を用いた、たとえばポリエーテル、ポリアクリロニトリル、ポリウレタン、セルロース又はポリアミドからなるポリマー繊維の染色である。反応性染料を使用することによって、染料と基材との間に共有結合が生成し、それが染色／着色に特に高い堅牢性を与える。ポリマーを着色させるためのまた別な方法は、ポリマーを生成させるより前、又はポリマーを生成させている過程で、ポリマーのモノマー又はオリゴマーに染料を添加する方法である。ポリマーの骨組みに対して共有結合を形成することが可能な染料では、同様にして、着色において高い堅牢性が得られるであろう。このために、それに使用される染料、さらに詳しくは、それらの染料発色団が重合条件下で充分な安定性を有していなければならない。そのような例は、ポリウレタンのための反応性染料であって、それは公知であり、たとえば特許文献１及び特許文献２に記載されている。
【０００２】
使用する染料の溶解性又は分散性には、適切な置換基を選択することにより顕著な影響を与えることが可能であり、適切な側鎖の手段によって改良して、溶媒又は分散剤マトリックスの使用を大いに減少させたり、さらにはまったく省略可能としたりすることもできる。そのような例は、特許文献３及び特許文献４の文献に見出される。
【０００３】
ポリマーのための市販されている染料は通常、分散染料又は油溶性染料であって、ポリオレフィンを着色させるために使用すると、その中で染料が、ほんの低い耐ブリード堅牢性しか有さないような着色ポリオレフィンが得られる場合が多い。さらに、公知の染料の多くのものは、ポリオレフィン中における耐光堅牢性が劣っていたり、あるいは熱安定性が低かったりする。ポリオレフィン中で良好な耐ブリード堅牢性のみならず、良好な耐光堅牢性及び高い熱安定性を有し、しかも使用したポリオレフィンの性能に悪影響を与えないような染料は、知られていない。特許文献５から公知の染料は、それらの要求性能に部分的には適合しているが、それでもなお、記述されている染料を用いて、高い耐光堅牢性を有する染色／着色を達成することは不可能である。
【先行技術文献】
【特許文献】
【０００４】
【特許文献１】独国特許第２２５９４３５号明細書
【特許文献２】独国特許第２３５７９３３号明細書
【特許文献３】国際公開第０５／０００９１３号パンフレット
【特許文献４】米国特許出願公開第２００４２５４３３５号明細書
【特許文献５】国際公開第９９／２４６５９号パンフレット
【発明の概要】
【発明が解決しようとする課題】
【０００５】
したがって、前述の性質を有し、そのためにポリオレフィンを着色するのに有用であるような染料が必要とされている。
【課題を解決するための手段】
【０００６】
環状イミド上の置換基としてポリエーテルを含む染料が、ポリオレフィン及びその他の基材を着色するための有用な染料となることが、今や見出された。それらは、適用条件下で高い安定性を有し、ポリマーに容易に可溶であるか又は適切な有機溶媒と混和性があり、高い堅牢性を有する着色を与える。
したがって、本発明は式（Ｉ）の化合物を提供する。
【０００７】
【化１】
2012500876.tif 000003
［式中、
Ｔは、水素、ヒドロキシル、アミノ、モノ−（Ｃ１〜Ｃ１５）−アルキルアミノ、ビス−（Ｃ１〜Ｃ１５）−アルキルアミノ、（Ｃ１〜Ｃ１５）−アルキル、アリール、アリールオキシ、（Ｃ１〜Ｃ１５）−アルコキシ、モノヒドロキシ−（Ｃ１〜Ｃ１５）−アルキル、ポリヒドロキシ−（Ｃ１〜Ｃ１５）−アルキル、若しくは（Ｃ１〜Ｃ１５）−アルキル−アリールオキシを表すか；
又は式（１）の基を表すか、
【０００８】
【化２】
2012500876.tif 000004
又は式（２）の基を表すか、
【０００９】
【化３】
2012500876.tif 000005
又は式（３）の基を表し、
【００１０】
【化４】
2012500876.tif 000006
Ｑ１〜Ｑ４はそれぞれ、式（４）の基を表し、
【００１１】
【化５】
2012500876.tif 000007
［式中、
ｒは、０．１〜２００の有理数を表し、そして式（Ｉ）のいずれか一つの分子の中において同一の意味か又は異なった意味を有し；
Ｒ２５及びＲ２６はそれぞれに依存して、水素、（Ｃ１〜Ｃ１５）−アルキル、単一若しくは複数の酸素で中断された（Ｃ１〜Ｃ１５）−アルキル、アリール、アリールオキシ、（Ｃ１〜Ｃ１５）−アルコキシ、モノヒドロキシ−（Ｃ１〜Ｃ１５）−アルキル又はポリヒドロキシ−（Ｃ１〜Ｃ１５）アルキルを表すが；
ここで、Ｒ２５とＲ２６とが、式（Ｉ）のいずれか一つの分子の中において同一の意味か又は異なった意味を有し；そして
ここで、Ｒ２５とＲ２６とが、式（Ｉ）のいずれか一つの分子の中において異なった意味を有している場合には、それらの異なった意味のものが、ランダムに分布しているか、又は、それぞれ同一の意味のものが規則的に分布しており；そして基Ｔ、Ａ及びＢが、結合＊又は結合＊＊に結合されている］；
Ｒ１〜Ｒ２４はそれぞれ独立して、水素；（Ｃ１〜Ｃ１５）−アルキル；トリフルオロメチル；シクロ−（Ｃ３〜Ｃ８）−アルキル；アリール；ヘテロアリール；ヘテロシクロアルキル；ハロゲン；シアノ；ニトロ；ヒドロキシル；（Ｃ１〜Ｃ１５）−アルコキシ；アリールオキシ；（Ｃ２〜Ｃ１５）−アシル；アリールカルボニル、（Ｃ２〜Ｃ１５）−アシルオキシ；アリールカルボニルオキシ；（Ｃ２〜Ｃ１５）−アシルアミノ；（Ｃ１〜Ｃ１５）−アルキルスルホニルアミノ；アリールスルホニルアミノ；アリールカルボニルアミノ；カルバモイル；Ｎ−モノシクロ−（Ｃ３〜Ｃ８）−アルキル−カルバモイル；Ｎ−モノ−（Ｃ１〜Ｃ１５）−アルキル−カルバモイル；Ｎ，Ｎ−ジシクロ−（Ｃ３〜Ｃ８）−アルキル−カルバモイル；Ｎ，Ｎ−ジ−（Ｃ１〜Ｃ１５）−アルキル−カルバモイル；Ｎ−モノアリール−カルバモイル；Ｎ，Ｎ−ジアリール−カルバモイル；Ｎ−モノシクロ−（Ｃ３〜Ｃ８）−アルキル−Ｎ−モノアリールカルバモイル；Ｎ−モノ−（Ｃ１〜Ｃ１５）−アルキル−Ｎ−モノアリールカルバモイル；（Ｃ１〜Ｃ１５）−アルコキシカルボニル；アリールオキシ−カルボニル；アミノ；モノシクロ−（Ｃ３〜Ｃ８）−アルキル−アミノ；モノ−（Ｃ１〜Ｃ１５）−アルキル−アミノ；ジ（シクロ）−（Ｃ３〜Ｃ８）−アルキル−アミノ；ジ−（Ｃ１〜Ｃ１５）−アルキル−アミノ；モノアリール−アミノ；ジアリール−アミノ；モノシクロ−（Ｃ３〜Ｃ８）−アルキルモノアリールアミノ；モノ−（Ｃ１〜Ｃ１５）−アルキルモノアリール−アミノ；アミノチオカルボニルアミノ；アミノカルボニルアミノ；スルファモイル；Ｎ−モノシクロ−（Ｃ３〜Ｃ８）−アルキル−スルファモイル；Ｎ−モノ−（Ｃ１〜Ｃ１５）−アルキル−スルファモイル；Ｎ，Ｎ−ジシクロ−（Ｃ３〜Ｃ８）−アルキル−スルファモイル；Ｎ，Ｎ−ジ−（Ｃ１〜Ｃ１５）−アルキル−スルファモイル；Ｎ−モノアリール−スルファモイル；Ｎ，Ｎ−ジアリール−スルファモイル；Ｎ−モノシクロ−（Ｃ３〜Ｃ８）−アルキル−Ｎ−モノアリールスルファモイル；Ｎ−モノ−（Ｃ１〜Ｃ１５）−アルキル−Ｎ−モノアリールスルファモイル；アミノスルホニルアミノ；（Ｃ１〜Ｃ１５）−アルキルチオ；アリールチオ；（Ｃ１〜Ｃ１５）−アルキル−スルホニル、若しくはアリールスルホニルを表すか；
又はそれぞれ独立して、（Ｃ１〜Ｃ１５）−アルキル、Ｎ−モノ−（Ｃ１〜Ｃ１５）−アルキルアミノ、Ｎ，Ｎ−ジ−（Ｃ１〜Ｃ１５）−アルキルアミノ、Ｎ−（Ｃ１〜Ｃ１５）−アルキル−Ｎ−シクロ−（Ｃ３〜Ｃ８）−アルキルアミノ、Ｎ−（Ｃ１〜Ｃ１５）−アルキル−Ｎ−アリールアミノ、（Ｃ１〜Ｃ１５）−アルコキシ、（Ｃ１〜Ｃ１５）−アルキルチオ、（Ｃ２〜Ｃ１５）−アシル、若しくは（Ｃ１〜Ｃ１５）−アルキルスルホニルを表し、それらはそれぞれ、ヒドロキシル、（Ｃ３〜Ｃ８）−シクロアルキル、ヘテロアリール、ヘテロシクロ−（Ｃ３〜Ｃ８）−アルキル、アリール、アリールオキシ、（Ｃ１〜Ｃ１５）−アルコキシ、（Ｃ１〜Ｃ１５）−アルキルチオ、アリールチオ、ポリ（オキシ−（Ｃ１〜Ｃ１５）−アルキレン）、ハロゲン、シアノ、（Ｃ１〜Ｃ１５）−アルコキシカルボニル、（Ｃ１〜Ｃ１５）−アルコキシチオカルボニル、（Ｃ２〜Ｃ１５）−アシルオキシ、カルバモイル、スルファモイル、ニトロ、アミノ、（Ｃ２〜Ｃ１５）−アシルアミノ、アリールカルボニルアミノ、（Ｃ１〜Ｃ１５）−アルキルスルホニルアミノ、アリールスルホニルアミノ、アミノカルボニルアミノ、アミノチオカルボニルアミノ、Ｎ−モノ−（Ｃ１〜Ｃ１５）−アルキルアミノ、Ｎ−モノ−（ヒドロキシ−（Ｃ１〜Ｃ１５）−アルキル）アミノ、Ｎ，Ｎ−ビス−（ヒドロキシ−（Ｃ１〜Ｃ１５）−アルキル）アミノ、Ｎ−モノ−（Ｃ１〜Ｃ１５）−アルコキシ−（Ｃ１〜Ｃ１５）−アルキル）アミノ、Ｎ，Ｎ−ビス−（Ｃ１〜Ｃ１５）−アルコキシ−（Ｃ１〜Ｃ１５）−アルキル）アミノ、Ｎ−モノ−（Ｃ１〜Ｃ１５）−アルコキシ−（Ｃ１〜Ｃ１５）−アルキル）アミノ、Ｎ−モノ−（Ｃ１〜Ｃ１５）−アルキルチオ−（Ｃ１〜Ｃ１５）−アルキル）アミノ、Ｎ−ビス−（Ｃ１〜Ｃ１５）−アルキルチオ−（Ｃ１〜Ｃ１５）−アルキル）アミノ、Ｎ−モノシクロ−（Ｃ３〜Ｃ８）−アルキルアミノ、Ｎ−モノアリール−アミノ、Ｎ，Ｎ−ジ−（Ｃ１〜Ｃ１５）−アルキル−アミノ、Ｎ，Ｎ−ジシクロ−（Ｃ３〜Ｃ８）−アルキルアミノ、Ｎ，Ｎ−ジアリール−アミノ、Ｎ−（Ｃ１〜Ｃ１５）−アルキル−Ｎ−アリール−アミノ、Ｎ−シクロ−（Ｃ３〜Ｃ８）−アルキル−Ｎ−アリール−アミノ、若しくはアミノスルホニルアミノからなる群より選択される１個又は複数の置換基によって置換されているか；
又は、それぞれ独立して、アリール、モノアリール−アミノ；ジアリール−アミノ、アリールオキシ、アリールチオ、アリールカルボニル、アリールカルボニルオキシ；アリールスルホニルアミノ；アリールカルボニルアミノ、Ｎ−モノアリール−カルバモイル；Ｎ，Ｎ−ジアリール−カルバモイル、Ｎ−モノシクロ−（Ｃ３〜Ｃ８）−アルキル−Ｎ−モノアリールカルバモイル；Ｎ−モノ−（Ｃ１〜Ｃ１５）−アルキル−Ｎ−モノアリールカルバモイル；モノシクロ−（Ｃ３〜Ｃ８）−アルキルモノ−アリールアミノ；モノ−（Ｃ１〜Ｃ１５）−アルキルモノアリール−アミノ；Ｎ−モノアリール−スルファモイル；Ｎ，Ｎ−ジアリール−スルファモイル；Ｎ−モノシクロ−（Ｃ３〜Ｃ８）−アルキル−Ｎ−モノアリールスルファモイル；Ｎ−モノ−（Ｃ１〜Ｃ１５）−アルキル−Ｎ−モノアリールスルファモイル、若しくはアリールスルホニルを表し、ここで、そのアリール基は、ヒドロキシル、（Ｃ１〜Ｃ１５）−アルキル、（Ｃ３〜Ｃ８）−シクロアルキル、ヘテロアリール、ヘテロシクロ−（Ｃ３〜Ｃ８）−アルキル、（Ｃ１〜Ｃ１５）−アルコキシ、（Ｃ１〜Ｃ１５）−アルキルチオ、ポリ（オキシ−（Ｃ１〜Ｃ１５）−アルキレン）、ハロゲン、シアノ、（Ｃ１〜Ｃ１５）−アルコキシカルボニル、（Ｃ１〜Ｃ１５）−アルコキシチオカルボニル、（Ｃ２〜Ｃ１５）−アシルオキシ、カルバモイル、Ｎ−モノシクロ−（Ｃ３〜Ｃ８）−アルキル−カルバモイル、Ｎ−モノ−（Ｃ１〜Ｃ１５）−アルキル−カルバモイル、Ｎ，Ｎ−ジシクロ−（Ｃ３〜Ｃ８）−アルキル−カルバモイル、Ｎ，Ｎ−ジ−（Ｃ１〜Ｃ１５）−アルキル−カルバモイル、Ｎ−モノアリール−カルバモイル、Ｎ，Ｎ−ジアリール−カルバモイル、Ｎ−モノシクロ−（Ｃ３〜Ｃ８）−アルキル−Ｎ−モノアリールカルバモイル、Ｎ−モノ−（Ｃ１〜Ｃ１５）−アルキル−Ｎ−モノアリールカルバモイル、スルファモイル、Ｎ−モノシクロ−（Ｃ３〜Ｃ８）−アルキル−スルファモイル、Ｎ−モノ−（Ｃ１〜Ｃ１５）−アルキル−スルファモイル、Ｎ−モノ−（ヒドロキシ−（Ｃ１〜Ｃ１５）−アルキル）スルファモイル、Ｎ，Ｎ−ジシクロ−（Ｃ３〜Ｃ８）−アルキル−スルファモイル、Ｎ，Ｎ−ジ−（Ｃ１〜Ｃ１５）−アルキル−スルファモイル、Ｎ−モノアリール−スルファモイル、Ｎ，Ｎ−ジアリール−スルファモイル、Ｎ−モノシクロ−（Ｃ３〜Ｃ８）−アルキル−Ｎ−モノアリールスルファモイル、Ｎ−モノ−（Ｃ１〜Ｃ１５）−アルキル−Ｎ−モノアリールスルファモイル、ニトロ、アミノ、（Ｃ２〜Ｃ１５）−アシルアミノ、アリールカルボニルアミノ、（Ｃ１〜Ｃ１５）−アルキルスルホニルアミノ、アリールスルホニルアミノ、アミノカルボニルアミノ、アミノチオ−カルボニルアミノ、Ｎ−モノ−（Ｃ１〜Ｃ１５）−アルキルアミノ、Ｎ−モノ−（ヒドロキシ−（Ｃ１〜Ｃ１５）−アルキル）アミノ、Ｎ，Ｎ−ビス−（ヒドロキシ−（Ｃ１〜Ｃ１５）−アルキル）アミノ、Ｎ−モノ（（Ｃ１〜Ｃ１５）−アルコキシ−（Ｃ１〜Ｃ１５）−アルキル）アミノ、Ｎ，Ｎ−ビス−（（Ｃ１〜Ｃ１５）−アルコキシ−（Ｃ１〜Ｃ１５）−アルキル）アミノ、Ｎ−モノ−（（Ｃ１〜Ｃ１５）−アルコキシ−（Ｃ１〜Ｃ１５）−アルキル）アミノ、Ｎ−モノ−（（Ｃ１〜Ｃ１５）−アルキルチオ−（Ｃ１〜Ｃ１５）−アルキル）アミノ、Ｎ−ビス−（（Ｃ１〜Ｃ１５）−アルキルチオ−（Ｃ１〜Ｃ１５）−アルキル）アミノ、Ｎ−モノシクロ−（Ｃ３〜Ｃ８）−アルキルアミノ、Ｎ−モノアリール−アミノ、Ｎ，Ｎ−ジ−（Ｃ１〜Ｃ１５）−アルキル−アミノ、Ｎ，Ｎ−ジシクロ−（Ｃ３〜Ｃ８）−アルキルアミノ、Ｎ，Ｎ−ジアリール−アミノ、Ｎ−（Ｃ１〜Ｃ１５）−アルキル−Ｎ−アリール−アミノ、Ｎ−シクロ−（Ｃ３〜Ｃ８）−アルキル−Ｎ−アリール−アミノ、若しくはアミノスルホニルアミノからなる群より選択される１個又は複数の置換基によって置換されており；
Ｒ３０〜Ｒ３３はそれぞれ独立して、水素、（Ｃ１〜Ｃ１５）−アルキル、単一若しくは複数の酸素で中断された（Ｃ１〜Ｃ１５）−アルキル、アリール、アリール−（Ｃ１〜Ｃ１５）−アルキル、（Ｃ１〜Ｃ１５）−アルキル−アリール、アリールオキシ、（Ｃ１〜Ｃ１５）−アルコキシ、モノヒドロキシ−（Ｃ１〜Ｃ１５）−アルキル、又はポリヒドロキシ−（Ｃ１〜Ｃ１５）−アルキルを表し、そして式（Ｉ）のいずれか一つの分子の中において同一の意味か又は異なった意味を有し；
ｘは、１〜３０の数を表し；
ｙ、ｚ及びｔはそれぞれ独立して、０〜３０の数を表し；
Ａは、式（５）の基を表し、
【００１２】
【化６】
2012500876.tif 000008
［式中、
ａ、ｂ及びｃはそれぞれ独立して、０〜１５の数を表し；
Ｒ２７は、水素、（Ｃ１〜Ｃ１５）−アルキル、単一若しくは複数の酸素で中断された（Ｃ１〜Ｃ１５）−アルキル、アリールオキシ、（Ｃ１〜Ｃ１５）−アルコキシ、モノヒドロキシ−（Ｃ１〜Ｃ１５）アルキル、又はポリヒドロキシ（Ｃ１〜Ｃ１５）−アルキルを表す］；そして
Ｂは、式（６）の基を表す。
【００１３】
【化７】
2012500876.tif 000009
［式中、
ａ、ｂ、ｃ及びｄはそれぞれ独立して、０〜１５の数を表す］］
上述の定義において、アルキル基は直鎖であっても、あるいは分岐していてもよく、たとえばメチル、エチル、ｎ−プロピル、イソプロピル、ｎ−ブチル又はイソブチルであるが、ヘキシルたとえばｎ−ヘキシル、ヘプチルたとえばｎ−ヘプチル、オクチルたとえばｎ−オクチル及びイソオクチル、ノニルたとえばｎ−ノニル、デシルたとえばｎ−デシル、ドデシルたとえばｎ−ドデシル、又はオクタデシルたとえばｎ−オクタデシルであってもよい。（Ｃ１〜Ｃ４）−アルキル基が好ましい。同様なことが、アルコキシ基及びアルキレン基、さらには引用された基が置換されている場合にも準用される。
【００１４】
アリールが、フェニル及びナフチルを表し、アリーレンが、フェニレン、特に１，２−、１，３−及び１，４−フェニレン、並びにナフチレン、たとえば具体的には１，４−，１，５−及び１，８−ナフチレンを表しているのが好ましい。
ハロゲンは、具体的には、フッ素、塩素又は臭素である。
【００１５】
ヘテロアリールは、ピリジン、ピリミジン、ピリダジン、ピラジン、ピロール、イミダゾール、ピラゾール、１，２，４−チアジアゾール、１，２，４−トリアゾール、テトラゾール、チオフェン、チアゾール、イソチアゾール、１，３，４−チアジアゾール、フラン、オキサゾール、又はイソオキサゾールであるのが好ましい。
ヘテロシクロアルキルは、ピロリジン、ピペリジン、モルホリン、又はピペラジンであるのが好ましい。
【００１６】
本発明による好ましい式（Ｉ）の化合物においては、式（４）の基の中のＲ２５及びＲ２６置換基は、いずれの一つの分子の中でも異なった意味を有しているが、ここでそれぞれ同一の意味のものが規則的に分布している。
本発明による特に好ましい式（Ｉ）の染料は、式（Ｉａ）に合致する。
【００１７】
【化８】
2012500876.tif 000010
［式中、
Ｔ１は、水素、ヒドロキシル、アミノ、モノ−（Ｃ１〜Ｃ１５）アルキルアミノ、ビス−（Ｃ１〜Ｃ１５）アルキルアミノ、（Ｃ１〜Ｃ１５）アルキル、アリール、アリールオキシ、（Ｃ１〜Ｃ１５）−アルコキシ、モノヒドロキシ−（Ｃ１〜Ｃ１５）−アルキル、ポリヒドロキシ−（Ｃ１〜Ｃ１５）−アルキル、又は（Ｃ１〜Ｃ１５）−アルキル−アリールオキシを表し；
Ｒ１〜Ｒ６はそれぞれ独立して、水素；（Ｃ１〜Ｃ１５）−アルキル；トリフルオロメチル；アリール；ハロゲン；シアノ；ニトロ；ヒドロキシル；（Ｃ１〜Ｃ１５）−アルコキシ；アリールオキシ；アリールカルボニル、（Ｃ２〜Ｃ１５）−アシルアミノ；（Ｃ１〜Ｃ１５）−アルキルスルホニルアミノ；アリールスルホニルアミノ；アリールカルボニルアミノ；カルバモイル；アミノ；モノシクロ−（Ｃ３〜Ｃ８）−アルキル−アミノ；モノ−（Ｃ１〜Ｃ１５）−アルキル−アミノ；ジ（シクロ）−（Ｃ３〜Ｃ８）−アルキル−アミノ；ジ−（Ｃ１〜Ｃ１５）−アルキル−アミノ；モノアリール−アミノ；ジアリール−アミノ；モノシクロ−（Ｃ３〜Ｃ８）−アルキルモノアリールアミノ；モノ−（Ｃ１〜Ｃ１５）−アルキルモノアリールアミノ；アミノカルボニルアミノ；スルファモイル；アミノスルホニルアミノ；（Ｃ１〜Ｃ１５）−アルキルチオ；アリールチオ、若しくは（Ｃ１〜Ｃ１５）−アルキルスルホニルを表すか；
又はそれぞれ独立して、（Ｃ１〜Ｃ１５）−アルキル、Ｎ−モノ−（Ｃ１〜Ｃ１５）−アルキルアミノ、Ｎ−モノシクロ−（Ｃ３〜Ｃ８）−アルキルアミノ、Ｎ，Ｎ−ジ−（Ｃ１〜Ｃ１５）−アルキルアミノ、Ｎ，Ｎ−ジシクロ−（Ｃ３〜Ｃ８）−アルキルアミノ、Ｎ−（Ｃ１〜Ｃ１５）−アルキル−Ｎ−シクロ−（Ｃ３〜Ｃ８）−アルキルアミノ、Ｎ−（Ｃ１〜Ｃ１５）−アルキル−Ｎ−アリールアミノ、Ｎ−アリール−Ｎ−シクロ−（Ｃ３〜Ｃ８）−アルキルアミノ、（Ｃ１〜Ｃ１５）−アルコキシ、（Ｃ１〜Ｃ１５）−アルキルチオ、若しくは（Ｃ１〜Ｃ１５）−アルキルスルホニルを表し、それらはそれぞれ、ヒドロキシル、（Ｃ３〜Ｃ８）−シクロアルキル、ヘテロアリール、ヘテロシクロアルキル、アリール、アリールオキシ、（Ｃ１〜Ｃ１５）−アルコキシ、ハロゲン、シアノ、（Ｃ１〜Ｃ１５）−アルコキシカルボニル、カルバモイル、スルファモイル、ニトロ、アミノ、（Ｃ２〜Ｃ１５）−アシルアミノ、アリールカルボニルアミノ、（Ｃ１〜Ｃ１５）−アルキルスルホニルアミノ、アリールスルホニルアミノ、アミノカルボニルアミノ、及びアミノスルホニルアミノからなる群より選択される１個又は複数の置換基によって置換されているか；
又はそれぞれ独立して、アリール、モノアリール−アミノ；ジアリール−アミノ、アリールオキシ、アリールチオ、アリールカルボニル、アリールカルボニルオキシ；アリールスルホニルアミノ；アリールカルボニルアミノ、モノシクロ−（Ｃ３〜Ｃ８）−アルキルモノアリールアミノ；モノ−（Ｃ１〜Ｃ１５）−アルキルモノアリール−アミノ、若しくはアリールスルホニルを表し、ここで、アリールは、ヒドロキシル、（Ｃ１〜Ｃ１５）−アルキル、（Ｃ１〜Ｃ１５）−アルコキシ、（Ｃ１〜Ｃ１５）−アルキルチオ、ハロゲン、シアノ、（Ｃ１〜Ｃ１５）−アルコキシカルボニル、（Ｃ２〜Ｃ１５）−アシルオキシ、カルバモイル、Ｎ−モノ−（Ｃ１〜Ｃ１５）−アルキル−カルバモイル、Ｎ−モノ−（ヒドロキシ−（Ｃ１〜Ｃ１５）−アルキル）カルバモイル、スルファモイル、Ｎ−モノ−（Ｃ１〜Ｃ１５）−アルキル−スルファモイル、Ｎ−モノ−（ヒドロキシ−（Ｃ１〜Ｃ１５）−アルキル）スルファモイル、ニトロ、アミノ、（Ｃ２〜Ｃ１５）−アシルアミノ、（Ｃ１〜Ｃ１５）−アルキルスルホニルアミノ、アミノカルボニルアミノ、Ｎ−モノ−（Ｃ１〜Ｃ１５）−アルキルアミノ、Ｎ−モノ−（ヒドロキシ−（Ｃ１〜Ｃ１５）−アルキル）アミノ、Ｎ，Ｎ−ビス−（ヒドロキシ−（Ｃ１〜Ｃ１５）−アルキル）アミノ、Ｎ，Ｎ−ジ−（Ｃ１〜Ｃ１５）−アルキル−アミノ、及びアミノスルホニルアミノからなる群より選択される１個又は複数の置換基によって置換されており；
Ｒ３０及びＲ３１はそれぞれ独立して、水素若しくは（Ｃ１〜Ｃ１５）−アルキル；単一若しくは複数の酸素で中断された（Ｃ１〜Ｃ１５）アルキル、アリール、アリール−（Ｃ１〜Ｃ１５）−アルキル、（Ｃ１〜Ｃ１５）−アルキル−アリール、アリールオキシ、（Ｃ１〜Ｃ１５）−アルコキシ、モノヒドロキシ−（Ｃ１〜Ｃ１５）−アルキル、又はポリヒドロキシ−（Ｃ１〜Ｃ１５）−アルキルを表し；
ｘは、１〜１０の数を表し；そして
Ｑ１は、先に定義されたものである］
【００１８】
式（Ｉａ）の特に好ましい化合物においては、
Ｔ１は、（Ｃ１〜Ｃ１５）−アルコキシ、（Ｃ１〜Ｃ１５）−アルキル、又は（Ｃ１〜Ｃ１５）−アルキル−アリールオキシを表し；
Ｒ１及びＲ２はそれぞれ独立して、アミノ、ヒドロキシル、モノ−（Ｃ１〜Ｃ１５）−アルキル−アミノ又はモノアリール−アミノを表すが、ここでアリールは、（Ｃ１〜Ｃ１５）−アルキル、スルファモイル、カルバモイル、Ｎ−モノ−（ヒドロキシ−（Ｃ１〜Ｃ１５）−アルキル）スルファモイル、又はＮ−モノ−（ヒドロキシ−（Ｃ１〜Ｃ１５）−アルキル）カルバモイルによって置換されており；
Ｒ３、Ｒ４、Ｒ５及びＲ６はそれぞれ独立して、水素、アミノ、ヒドロキシル、ニトロ、モノ−（Ｃ１〜Ｃ１５）−アルキル−アミノ、及びモノアリール−アミノを表すが、ここでアリールは、（Ｃ１〜Ｃ１５）−アルキルによって置換されており；
Ｒ３０及びＲ３１はそれぞれ独立して、水素又は（Ｃ１〜Ｃ１５）アルキルを表し；そして
ｘは、１、２又は３を表し；
そして、
Ｑ１は、式（４）の基を表すが、ここでｒは、０．１〜１００の有理数を表し、そして式（Ｉａ）のいずれか一つの分子の中において同一の意味か又は異なった意味を有し；そして
Ｒ２５〜Ｒ２６はそれぞれ独立して、水素又は（Ｃ１〜Ｃ１５）−アルキルを表すが、
ここで、Ｒ２５及びＲ２６は、式（Ｉａ）のいずれか一つの分子の中において同一の意味か又は異なった意味を有し；そして
ここで、Ｒ２５とＲ２６とが、式（Ｉａ）のいずれか一つの分子の中において異なった意味を有している場合には、それらの異なった意味のものが、ランダムに分布しているか、又は、それぞれ同一の意味のものが規則的に分布している。
式（Ｉａ）の化合物の例は、式（Ｉａａ）〜（Ｉａｙ）の化合物である。
【００１９】
【化９】
2012500876.tif 000011
【００２０】
【化１０】
2012500876.tif 000012
【００２１】
【化１１】
2012500876.tif 000013
【００２２】
【化１２】
2012500876.tif 000014
【００２３】
【化１３】
2012500876.tif 000015
【００２４】
【化１４】
2012500876.tif 000016
本発明によるさらに特に好ましい式（Ｉ）の染料は、式（Ｉｂ）に合致する。
【００２５】
【化１５】
2012500876.tif 000017
［式中、
Ｒ１〜Ｒ１２はそれぞれ独立して、水素；（Ｃ１〜Ｃ１５）−アルキル；トリフルオロメチル；アリール；ハロゲン；シアノ；ニトロ；ヒドロキシル；（Ｃ１〜Ｃ５）−アルコキシ；アリールオキシ；アリールカルボニル、（Ｃ２〜Ｃ１５）−アシル−アミノ；（Ｃ１〜Ｃ１５）−アルキルスルホニルアミノ；アリールスルホニルアミノ；アリールカルボニルアミノ；カルバモイル；アミノ；モノシクロ−（Ｃ３〜Ｃ８）−アルキル−アミノ；モノ−（Ｃ１〜Ｃ５）−アルキル−アミノ；ジ（シクロ）−（Ｃ３〜Ｃ８）−アルキル−アミノ；ジ−（Ｃ１〜Ｃ１５）−アルキル−アミノ；モノアリール−アミノ；ジアリール−アミノ；モノシクロ−（Ｃ３〜Ｃ８）−アルキルモノアリールアミノ；モノ−（Ｃ１〜Ｃ１５）−アルキルモノアリールアミノ；アミノカルボニルアミノ；スルファモイル；アミノスルホニルアミノ；（Ｃ１〜Ｃ１５）−アルキルチオ；アリールチオ、若しくは（Ｃ１〜Ｃ１５）−アルキルスルホニルを表すか；
又はそれぞれ独立して、（Ｃ１〜Ｃ１５）−アルキル、Ｎ−モノ−（Ｃ１〜Ｃ１５）−アルキルアミノ、Ｎ−モノシクロ−（Ｃ３〜Ｃ８）−アルキルアミノ、Ｎ，Ｎ−ジ−（Ｃ１〜Ｃ１５）−アルキルアミノ、Ｎ，Ｎ−ジシクロ−（Ｃ３〜Ｃ８）−アルキルアミノ、Ｎ−（Ｃ１〜Ｃ１５）−アルキル−Ｎ−シクロ−（Ｃ３〜Ｃ８）−アルキルアミノ、Ｎ−（Ｃ１〜Ｃ１５）−アルキル−Ｎ−アリールアミノ、Ｎ−アリール−Ｎ−シクロ−（Ｃ３〜Ｃ８）−アルキルアミノ、（Ｃ１〜Ｃ１５）−アルコキシ、（Ｃ１〜Ｃ１５）−アルキルチオ、若しくは（Ｃ１〜Ｃ１５）−アルキルスルホニルを表し、それらはそれぞれ、ヒドロキシル、ヘテロアリール、ヘテロシクロアルキル、アリール、アリールオキシ、（Ｃ１〜Ｃ１５）−アルコキシ、ハロゲン、シアノ、（Ｃ１〜Ｃ１５）−アルコキシカルボニル、カルバモイル、スルファモイル、ニトロ、アミノ、（Ｃ２〜Ｃ１５）−アシルアミノ、アリールカルボニルアミノ、（Ｃ１〜Ｃ１５）−アルキル−スルホニルアミノ、アリールスルホニルアミノ、アミノカルボニルアミノ、及びアミノスルホニルアミノからなる群より選択される１個又は複数の置換基によって置換されているか；
又はそれぞれ独立して、アリール、モノアリール−アミノ；ジアリール−アミノ、アリールオキシ、アリールチオ、アリールカルボニル、アリールカルボニルオキシ；アリールスルホニルアミノ；アリールカルボニルアミノ、モノシクロ−（Ｃ３〜Ｃ８）−アルキルモノアリールアミノ；モノ−（Ｃ１〜Ｃ１５）−アルキルモノアリール−アミノ、若しくはアリールスルホニルを表し、ここで、アリールは、ヒドロキシル、（Ｃ１〜Ｃ１５）−アルキル、（Ｃ１〜Ｃ１５）−アルコキシ、（Ｃ１〜Ｃ１５）−アルキルチオ、ハロゲン、シアノ、（Ｃ１〜Ｃ１５）−アルコキシカルボニル、（Ｃ２〜Ｃ１５）−アシルオキシ、カルバモイル、Ｎ−モノ−（Ｃ１〜Ｃ１５）−アルキル−カルバモイル、Ｎ−モノ−（ヒドロキシ−（Ｃ１〜Ｃ１５）−アルキル）カルバモイル、スルファモイル、Ｎ−モノ−（Ｃ１〜Ｃ１５）−アルキル−スルファモイル、Ｎ−モノ−（ヒドロキシ−（Ｃ１〜Ｃ１５）−アルキル）スルファモイル、ニトロ、アミノ、（Ｃ２〜Ｃ１５）−アシルアミノ、（Ｃ１〜Ｃ１５）−アルキルスルホニルアミノ、アミノカルボニルアミノ、Ｎ−モノ−（Ｃ１〜Ｃ１５）−アルキルアミノ、Ｎ−モノ−（ヒドロキシ−（Ｃ１〜Ｃ１５）−アルキル）アミノ、Ｎ，Ｎ−ビス−（ヒドロキシ−（Ｃ１〜Ｃ１５）−アルキル）アミノ、Ｎ，Ｎ−ジ−（Ｃ１〜Ｃ１５）−アルキル−アミノ、及びアミノスルホニルアミノからなる群より選択される１個又は複数の置換基によって置換されており；
Ｒ３０及びＲ３１はそれぞれ独立して、水素、（Ｃ１〜Ｃ１５）−アルキル；単一若しくは複数の酸素で中断された（Ｃ１〜Ｃ１５）アルキル、アリール、アリール−（Ｃ１〜Ｃ１５）−アルキル、（Ｃ１〜Ｃ１５）−アルキル−アリール、アリールオキシ、（Ｃ１〜Ｃ１５）−アルコキシ、モノヒドロキシ−（Ｃ１〜Ｃ１５）−アルキル、又はポリヒドロキシ−（Ｃ１〜Ｃ１５）−アルキルを表し；
ｘは、１〜１０の数を表し；そして
ｙは、０〜１０の数を表し；そして
Ｑ１は、先に定義されたものである］
【００２６】
式（Ｉｂ）の特に好ましい化合物においては、
Ｒ１、Ｒ２、Ｒ７及びＲ８はそれぞれ独立して、アミノ、ヒドロキシル、モノ−（Ｃ１〜Ｃ１５）−アルキル−アミノ又はモノアリール−アミノを表すが、ここでアリールは、（Ｃ１〜Ｃ１５）−アルキル、スルファモイル、カルバモイル、Ｎ−モノ−（ヒドロキシ−（Ｃ１〜Ｃ１５）−アルキル）スルファモイル、又はＮ−モノ−（ヒドロキシ−（Ｃ１〜Ｃ１５）−アルキル）カルバモイルによって置換されており；
Ｒ３、Ｒ４、Ｒ５、Ｒ６、Ｒ９、Ｒ１０、Ｒ１１及びＲ１２はそれぞれ独立して、水素、アミノ、ヒドロキシル、ニトロ、モノ−（Ｃ１〜Ｃ１５）−アルキル−アミノ、又はモノアリール−アミノを表すが、ここでアリールは、（Ｃ１〜Ｃ１５）−アルキルによって置換されており；
Ｒ３０及びＲ３１はそれぞれ独立して、水素又は（Ｃ１〜Ｃ１５）アルキルを表し；
ｘは、１、２又は３を表し；そして
ｙは、０又は１を表し；そして
Ｑ１は、式（４）の基を表すが、ここでｒは、０．１〜１００の有理数を表し、そして式（Ｉｂ）のいずれか一つの分子の中において同一の意味か又は異なった意味を有し；そして
Ｒ２５〜Ｒ２６はそれぞれ独立して、水素又は（Ｃ１〜Ｃ１５）−アルキルを表すが、
ここで、Ｒ２５及びＲ２６は、式（Ｉｂ）のいずれか一つの分子の中において同一の意味か又は異なった意味を有し；そして
ここで、Ｒ２５とＲ２６とが、式（Ｉｂ）のいずれか一つの分子の中において異なった意味を有している場合には、それらの異なった意味のものが、ランダムに分布しているか、又は、それぞれ同一の意味のものが規則的に分布している。
式（Ｉｂ）の化合物の例は、式（Ｉｂａ）〜（Ｉｂｕ）の化合物である。
【００２７】
【化１６】
2012500876.tif 000018
【００２８】
【化１７】
2012500876.tif 000019
【００２９】
【化１８】
2012500876.tif 000020
【００３０】
【化１９】
2012500876.tif 000021
【００３１】
【化２０】
2012500876.tif 000022
本発明によるさらに特に好ましい式（Ｉ）の染料は、式（Ｉｃ）に合致する。
【００３２】
【化２１】
2012500876.tif 000023
［式中、
Ｒ１〜Ｒ１８はそれぞれ独立して、水素、（Ｃ１〜Ｃ５）−アルキル；トリフルオロメチル；アリール；ハロゲン；シアノ；ニトロ；ヒドロキシル；（Ｃ１〜Ｃ１５）−アルコキシ；アリールオキシ；アリールカルボニル、（Ｃ２〜Ｃ１５）−アシルアミノ；（Ｃ１〜Ｃ１５）−アルキルスルホニルアミノ；アリールスルホニルアミノ；アリールカルボニルアミノ；カルバモイル；アミノ；モノシクロ−（Ｃ３〜Ｃ８）−アルキル−アミノ；モノ−（Ｃ１〜Ｃ１５）−アルキル−アミノ；ジ（シクロ）−（Ｃ３〜Ｃ８）−アルキル−アミノ；ジ−（Ｃ１〜Ｃ１５）−アルキル−アミノ；モノアリール−アミノ；ジアリール−アミノ；モノシクロ−（Ｃ３〜Ｃ８）−アルキルモノアリールアミノ；モノ−（Ｃ１〜Ｃ１５）−アルキルモノアリールアミノ；アミノカルボニルアミノ；スルファモイル；アミノスルホニルアミノ；（Ｃ１〜Ｃ１５）−アルキルチオ；アリールチオ、若しくは（Ｃ１〜Ｃ４）−アルキルスルホニルを表すか；
又はそれぞれ独立して、（Ｃ１〜Ｃ１５）−アルキル、Ｎ−モノ−（Ｃ１〜Ｃ１５）−アルキルアミノ、Ｎ−モノシクロ−（Ｃ３〜Ｃ８）−アルキルアミノ、Ｎ，Ｎ−ジ−（Ｃ１〜Ｃ１５）−アルキルアミノ、Ｎ，Ｎ−ジシクロ−（Ｃ３〜Ｃ８）−アルキルアミノ、Ｎ−（Ｃ１〜Ｃ１５）−アルキル−Ｎ−シクロ−（Ｃ３〜Ｃ８）−アルキルアミノ、Ｎ−（Ｃ１〜Ｃ１５）−アルキル−Ｎ−アリールアミノ、Ｎ−アリール−Ｎ−シクロ−（Ｃ３〜Ｃ８）−アルキルアミノ、（Ｃ１〜Ｃ１５）−アルコキシ、（Ｃ１〜Ｃ１５）−アルキルチオ、若しくは（Ｃ１〜Ｃ１５）−アルキルスルホニルを表し、それらはそれぞれ、ヒドロキシル、ヘテロアリール、ヘテロシクロアルキル、アリール、アリールオキシ、（Ｃ１〜Ｃ１５）−アルコキシ、ハロゲン、シアノ、（Ｃ１〜Ｃ１５）−アルコキシカルボニル、カルバモイル、スルファモイル、ニトロ、アミノ、（Ｃ２〜Ｃ１５）−アシルアミノ、アリールカルボニルアミノ、（Ｃ１〜Ｃ１５）−アルキルスルホニルアミノ、アリールスルホニルアミノ、アミノカルボニルアミノ、及びアミノスルホニルアミノからなる群より選択される１個又は複数の置換基によって置換されているか；
又はそれぞれ独立して、アリール、モノアリール−アミノ；ジアリール−アミノ、アリールオキシ、アリールチオ、アリールカルボニル、アリールカルボニルオキシ；アリールスルホニルアミノ；アリールカルボニルアミノ、モノシクロ−（Ｃ３〜Ｃ８）−アルキルモノアリールアミノ；モノ−（Ｃ１〜Ｃ１５）−アルキルモノアリール−アミノ、若しくはアリールスルホニルを表し、ここで、アリールは、ヒドロキシル、（Ｃ１〜Ｃ１５）−アルキル、（Ｃ１〜Ｃ１５）−アルコキシ、（Ｃ１〜Ｃ１５）−アルキルチオ、ハロゲン、シアノ、（Ｃ１〜Ｃ１５）−アルコキシカルボニル、（Ｃ２〜Ｃ１５）−アシルオキシ、カルバモイル、Ｎ−モノ−（Ｃ１〜Ｃ１５）−アルキル−カルバモイル、Ｎ−モノ−（ヒドロキシ−（Ｃ１〜Ｃ１５）−アルキル）カルバモイル、スルファモイル、Ｎ−モノ−（Ｃ１〜Ｃ１５）−アルキル−スルファモイル、Ｎ−モノ−（ヒドロキシ−（Ｃ１〜Ｃ１５）−アルキル）スルファモイル、ニトロ、アミノ、（Ｃ２〜Ｃ１５）−アシルアミノ、（Ｃ１〜Ｃ１５）−アルキルスルホニルアミノ、アミノカルボニルアミノ、Ｎ−モノ−（Ｃ１〜Ｃ１５）−アルキルアミノ、Ｎ−モノ−（ヒドロキシ−（Ｃ１〜Ｃ１５）−アルキル）アミノ、Ｎ，Ｎ−ビス−（ヒドロキシ−（Ｃ１〜Ｃ１５）−アルキル）アミノ、Ｎ，Ｎ−ジ−（Ｃ１〜Ｃ１５）−アルキル−アミノ、及びアミノスルホニルアミノからなる群より選択される１個又は複数の置換基によって置換されており；
Ｒ３０〜Ｒ３２はそれぞれ独立して、水素、（Ｃ１〜Ｃ１５）−アルキル；単一若しくは複数の酸素で中断された（Ｃ１〜Ｃ１５）−アルキル、アリール、アリール−（Ｃ１〜Ｃ１５）−アルキル、（Ｃ１〜Ｃ１５）−アルキル−アリール、アリールオキシ、（Ｃ１〜Ｃ１５）−アルコキシ、モノヒドロキシ−（Ｃ１〜Ｃ１５）−アルキル、又はポリヒドロキシ−（Ｃ１〜Ｃ１５）−アルキルを表し；
ｘは、１〜１０の数を表し；
ｙは、０〜１０の数を表し；そして
ｚは、０〜１０の数を表し；そして
Ｑ１、Ｑ２、Ｑ３及びＡはそれぞれ、先に定義されたものである。
【００３３】
式（Ｉｃ）の特に好ましい化合物においては、
Ｒ１、Ｒ２、Ｒ７、Ｒ８、Ｒ１３、及びＲ１４はそれぞれ独立して、アミノ、ヒドロキシル、モノ−（Ｃ１〜Ｃ１５）−アルキル−アミノ又はモノアリール−アミノを表すが、ここでアリールは、（Ｃ１〜Ｃ１５）−アルキル、スルファモイル、カルバモイル、Ｎ−モノ−（ヒドロキシ−（Ｃ１〜Ｃ１５）−アルキル）スルファモイル、又はＮ−モノ−（ヒドロキシ−（Ｃ１〜Ｃ１５）−アルキル）カルバモイルによって置換されており；
Ｒ３、Ｒ４、Ｒ５、Ｒ６、Ｒ９、Ｒ１０、Ｒ１１、Ｒ１２、Ｒ１５、Ｒ１６、Ｒ１７及びＲ１８はそれぞれ独立して、水素、アミノ、ヒドロキシ、ニトロ、モノ−（Ｃ１〜Ｃ１５）−アルキル−アミノ、及びモノアリール−アミノを表すが、ここでアリールは、（Ｃ１〜Ｃ１５）−アルキルによって置換されており；
Ｒ３０〜Ｒ３２は、水素又は（Ｃ１〜Ｃ１５）−アルキルを表し；
ｘは、１、２、３又は４を表し；
ｙは、０、１又は２を表し；そして
ｚは、０、１又は２を表し；
Ａは、式（５）の基を表すが、ここでＲ２７は、水素又は（Ｃ１〜Ｃ１５）−アルキルを表し、ａ、ｂ及びｃはそれぞれ独立して、０〜５の数を表し；そして
Ｑ１、Ｑ２及びＱ３はそれぞれ独立して、式（４）の基を表すが、ここでｒは、０．１〜１００の有理数を表し、そして式（Ｉｃ）のいずれか一つの分子の中において同一の意味か又は異なった意味を有し；そして
Ｒ２５〜Ｒ２６はそれぞれ独立して、水素又は（Ｃ１〜Ｃ１５）−アルキルを表すが、
ここで、Ｒ２５及びＲ２６は、式（Ｉｃ）のいずれか一つの分子の中において同一の意味か又は異なった意味を有し；そして
ここで、Ｒ２５とＲ２６とが、式（Ｉｃ）のいずれか一つの分子の中において異なった意味を有している場合には、それらの異なった意味のものが、ランダムに分布しているか、又は、それぞれ同一の意味のものが規則的に分布している。
式（Ｉｃ）の化合物の例は、式（Ｉｃａ）〜（Ｉｃｅ）の化合物である。
【００３４】
【化２２】
2012500876.tif 000024
【００３５】
【化２３】
2012500876.tif 000025
【００３６】
【化２４】
2012500876.tif 000026
本発明によるさらに特に好ましい式（Ｉ）の染料は、式（Ｉｄ）に合致する。
【００３７】
【化２５】
2012500876.tif 000027
［式中、
Ｒ１〜Ｒ２４はそれぞれ独立して、水素；（Ｃ１〜Ｃ５）−アルキル；トリフルオロメチル；アリール；ハロゲン；シアノ；ニトロ；ヒドロキシル；（Ｃ１〜Ｃ１５）−アルコキシ；アリールオキシ；アリールカルボニル、（Ｃ２〜Ｃ１５）−アシルアミノ；（Ｃ１〜Ｃ１５）−アルキルスルホニルアミノ；アリールスルホニルアミノ；アリールカルボニルアミノ；カルバモイル；アミノ；モノシクロ−（Ｃ３〜Ｃ８）−アルキル−アミノ；モノ−（Ｃ１〜Ｃ１５）−アルキル−アミノ；ジ（シクロ）−（Ｃ３〜Ｃ８）−アルキル−アミノ；ジ−（Ｃ１〜Ｃ１５）−アルキル−アミノ；モノアリール−アミノ；ジアリール−アミノ；モノシクロ−（Ｃ３〜Ｃ８）−アルキルモノアリールアミノ；モノ−（Ｃ１〜Ｃ１５）−アルキルモノアリールアミノ；アミノカルボニルアミノ；スルファモイル；アミノスルホニルアミノ；（Ｃ１〜Ｃ１５）−アルキルチオ；アリールチオ、若しくは（Ｃ１〜Ｃ４）−アルキルスルホニルを表すか；
又はそれぞれ独立して、（Ｃ１〜Ｃ１５）−アルキル、Ｎ−モノ−（Ｃ１〜Ｃ１５）−アルキルアミノ、Ｎ−モノシクロ−（Ｃ３〜Ｃ８）−アルキルアミノ、Ｎ，Ｎ−ジ−（Ｃ１〜Ｃ１５）−アルキルアミノ、Ｎ，Ｎ−ジシクロ−（Ｃ３〜Ｃ８）−アルキルアミノ、Ｎ−（Ｃ１〜Ｃ１５）−アルキル−Ｎ−シクロ−（Ｃ３〜Ｃ８）−アルキルアミノ、Ｎ−（Ｃ１〜Ｃ１５）−アルキル−Ｎ−アリールアミノ、Ｎ−アリール−Ｎ−シクロ−（Ｃ３〜Ｃ８）−アルキルアミノ、（Ｃ１〜Ｃ１５）−アルコキシ、（Ｃ１〜Ｃ１５）−アルキルチオ、若しくは（Ｃ１〜Ｃ１５）−アルキルスルホニルを表し、それらはそれぞれ、ヒドロキシル、ヘテロアリール、ヘテロシクロアルキル、アリール、アリールオキシ、（Ｃ１〜Ｃ１５）−アルコキシ、ハロゲン、シアノ、（Ｃ１〜Ｃ１５）−アルコキシカルボニル、カルバモイル、スルファモイル、ニトロ、アミノ、（Ｃ２〜Ｃ１５）−アシルアミノ、アリールカルボニルアミノ、（Ｃ１〜Ｃ１５）−アルキルスルホニルアミノ、アリール−スルホニルアミノ、アミノカルボニルアミノ、及びアミノスルホニルアミノからなる群より選択される１個又は複数の置換基によって置換されているか；
又はそれぞれ独立して、アリール、モノアリール−アミノ；ジアリール−アミノ、アリールオキシ、アリールチオ、アリールカルボニル、アリールカルボニルオキシ；アリールスルホニルアミノ；アリールカルボニルアミノ、モノシクロ−（Ｃ３〜Ｃ８）−アルキルモノアリールアミノ；モノ−（Ｃ１〜Ｃ１５）−アルキルモノアリール−アミノ、若しくはアリールスルホニルを表し、ここで、アリールは、ヒドロキシル、（Ｃ１〜Ｃ１５）−アルキル、（Ｃ１〜Ｃ１５）−アルコキシ、（Ｃ１〜Ｃ１５）−アルキルチオ、ハロゲン、シアノ、（Ｃ１〜Ｃ１５）−アルコキシカルボニル、（Ｃ２〜Ｃ１５）−アシルオキシ、カルバモイル、Ｎ−モノ−（Ｃ１〜Ｃ１５）−アルキル−カルバモイル、Ｎ−モノ−（ヒドロキシ−（Ｃ１〜Ｃ１５）−アルキル）カルバモイル、スルファモイル、Ｎ−モノ−（Ｃ１〜Ｃ１５）−アルキル−スルファモイル、Ｎ−モノ−（ヒドロキシ−（Ｃ１〜Ｃ１５）−アルキル）スルファモイル、ニトロ、アミノ、（Ｃ２〜Ｃ１５）−アシルアミノ、（Ｃ１〜Ｃ１５）−アルキルスルホニルアミノ、アミノカルボニルアミノ、Ｎ−モノ−（Ｃ１〜Ｃ１５）−アルキルアミノ、Ｎ−モノ−（ヒドロキシ−（Ｃ１〜Ｃ１５）−アルキル）アミノ、Ｎ，Ｎ−ビス−（ヒドロキシ−（Ｃ１〜Ｃ１５）−アルキル）−アミノ、Ｎ，Ｎ−ジ−（Ｃ１〜Ｃ１５）−アルキル−アミノ、及びアミノスルホニルアミノからなる群より選択される１個又は複数の置換基によって置換されており；
Ｒ３０〜Ｒ３３はそれぞれ独立して、水素、（Ｃ１〜Ｃ１５）−アルキル；単一若しくは複数の酸素で中断された（Ｃ１〜Ｃ１５）アルキル、アリール、アリール−（Ｃ１〜Ｃ１５）−アルキル、（Ｃ１〜Ｃ１５）−アルキル−アリール、アリールオキシ、（Ｃ１〜Ｃ１５）−アルコキシ、モノヒドロキシ−（Ｃ１〜Ｃ１５）−アルキル、又はポリヒドロキシ−（Ｃ１〜Ｃ１５）−アルキルを表し；
ｘは、１〜１０の数を表し；
ｙは、０〜１０の数を表し；
ｚは、０〜１０の数を表し；そして
ｔは、０〜１０の数を表し；そして
Ｑ１、Ｑ２、Ｑ３、Ｑ４及びＢはそれぞれ、先に定義されたものである。
【００３８】
式（Ｉｄ）の特に好ましい化合物においては、
Ｒ１、Ｒ２、Ｒ７、Ｒ８、Ｒ１３、Ｒ１４、Ｒ１９及びＲ２０はそれぞれ独立して、アミノ、ヒドロキシル、モノ−（Ｃ１〜Ｃ１５）−アルキル−アミノ又はモノアリール−アミノを表すが、ここでアリールは、（Ｃ１〜Ｃ１５）−アルキル、スルファモイル、カルバモイル、Ｎ−モノ−（ヒドロキシ−（Ｃ１〜Ｃ１５）−アルキル）スルファモイル、又はＮ−モノ−（ヒドロキシ−（Ｃ１〜Ｃ１５）−アルキル）カルバモイルによって置換されており；
Ｒ３、Ｒ４、Ｒ５、Ｒ６、Ｒ９、Ｒ１０、Ｒ１１、Ｒ１２、Ｒ１５、Ｒ１６、Ｒ１７、Ｒ１８、Ｒ２１、Ｒ２２、Ｒ２３及びＲ２４はそれぞれ独立して、水素、アミノ、ヒドロキシ、ニトロ、モノ−（Ｃ１〜Ｃ１５）−アルキル−アミノ、又はモノアリール−アミノを表すが、ここでアリールは、（Ｃ１〜Ｃ１５）−アルキルによって置換されており；
Ｒ３０〜Ｒ３３はそれぞれ独立して、Ｒ３０〜Ｒ３５の水素又は（Ｃ１〜Ｃ１５）アルキルを表し；
ｘは、１、２、３又は４を表し；
ｙは、０、１又は２を表し；
ｚは、０、１又は２を表し；そして
ｔは、０、１又は２を表し；
Ｂは、式（６）の基を表すが、ここで、ａ、ｂ、ｃ及びｄはそれぞれ独立して、０〜５の数を表し；そして
Ｑ１、Ｑ２、Ｑ３及びＱ４はそれぞれ独立して、式（４）の基を表すが、ここでｒは、０．１〜１００の有理数を表し、そして式（Ｉｄ）のいずれか一つの分子の中において同一の意味か又は異なった意味を有し；そして
Ｒ２５〜Ｒ２６はそれぞれ独立して、水素又は（Ｃ１〜Ｃ１５）−アルキルを表すが、
ここで、Ｒ２５及びＲ２６は、式（Ｉｄ）のいずれか一つの分子の中において同一の意味か又は異なった意味を有し；そして
ここで、Ｒ２５とＲ２６とが、式（Ｉｄ）のいずれか一つの分子の中において異なった意味を有している場合には、それらの異なった意味のものが、ランダムに分布しているか、又は、それぞれ同一の意味のものが規則的に分布している。
式（Ｉｄ）の化合物の例は、式（Ｉｄａ）〜（Ｉｄｄ）の化合物である。
【００３９】
【化２６】
2012500876.tif 000028
【００４０】
【化２７】
2012500876.tif 000029
本発明における式（Ｉ）の化合物は、たとえば式（ＩＩ）の化合物
【００４１】
【化２８】
2012500876.tif 000030
［式中、Ｒ３０、Ｑ１、Ｔ及びｘは、先に定義されたものである］を、式（ＩＩＩ）の化合物
【００４２】
【化２９】
2012500876.tif 000031
［式中、Ｒ１〜Ｒ６はそれぞれ先に定義されたものであり、そしてＸ１及びＸ２はそれぞれ、−ＣＯＯＨ若しくは−ＣＮを表すか、又は一体となって−ＣＯ−Ｏ−ＯＣ−若しくは−ＣＯ−ＮＨ−ＯＣ−を表す］と反応させる。
式（ＩＩＩ）の化合物は、式（ＩＩＩａ）〜（ＩＩＩｄ）の化合物である。
【００４３】
【化３０】
2012500876.tif 000032
好ましい式（ＩＩＩ）の化合物は、式（ＩＩＩｅ）〜（ＩＩＩｈ）の化合物である。
【００４４】
【化３１】
2012500876.tif 000033
式（Ｉｂ）の化合物は、好ましくは、式（ＩＶ）の化合物
【００４５】
【化３２】
2012500876.tif 000034
［式中、Ｒ３０及びＲ３１、Ｑ１、ｘ及びｙはそれぞれ、先に定義されたものである］を、式（ＩＩＩ）の化合物と反応させることによって調製される。
式（Ｉｃ）の化合物は、好ましくは、式（Ｖ）の化合物
【００４６】
【化３３】
2012500876.tif 000035
［式中、Ｒ３０〜Ｒ３２、Ｑ１〜Ｑ３、ｘ、ｙ及びｚはそれぞれ、先に定義されたものである］を、式（ＩＩＩ）の化合物と反応させることによって調製される。
式（Ｉｄ）の化合物は、好ましくは、式（ＶＩ）の化合物
【００４７】
【化３４】
2012500876.tif 000036
［式中、Ｒ３０〜Ｒ３３、Ｑ１〜Ｑ４、ｘ、ｙ、ｚ及びｔはそれぞれ、先に定義されたものである］を、式（ＩＩＩ）の化合物と反応させることによって調製される。
式（ＩＩＩ）の化合物は公知であり、文献中に公知の方法によって得ることができる。
式（ＩＶ）、（Ｖ）及び（ＶＩ）の化合物もまた同様に公知であり、文献中に公知の方法によって得ることができる。それらは、たとえば、ＵＳＡ、ＴＸ、Ｔｈｅ  ＷｏｏｄｌａｎｄｓのＨｕｎｔｓｍａｎからＪｅｆｆａｍｉｎｅ（登録商標）の商品名で、市場で入手することも可能である。そのような製品の例としては、以下のものが挙げられる：Ｊｅｆｆａｍｉｎｅ  Ｍ−６００、Ｊｅｆｆａｍｉｎｅ  Ｍ−２００５、Ｊｅｆｆａｍｉｎｅ  Ｍ−２０７０、Ｊｅｆｆａｍｉｎｅ  Ｍ−１０００、Ｊｅｆｆａｍｉｎｅ  Ｄ−２３０、Ｊｅｆｆａｍｉｎｅ  Ｄ−４００、Ｊｅｆｆａｍｉｎｅ  Ｄ−２０００、Ｊｅｆｆａｍｉｎｅ  Ｄ−４０００、Ｊｅｆｆａｍｉｎｅ  ＨＫ−５１１、Ｊｅｆｆａｍｉｎｅ  ＥＤ−６００、Ｊｅｆｆａｍｉｎｅ  ＥＤ−９００、Ｊｅｆｆａｍｉｎｅ  ＥＤ−２００３、Ｊｅｆｆａｍｉｎｅ  ＥＤ−２００１、Ｊｅｆｆａｍｉｎｅ  ＥＤＲ−１４８、Ｊｅｆｆａｍｉｎｅ  ＥＤＲ−１７６、Ｊｅｆｆａｍｉｎｅ  Ｔ−４０３、Ｊｅｆｆａｍｉｎｅ  Ｍ−３０００、Ｊｅｆｆａｍｉｎｅ  Ｔ−５０００、Ｊｅｆｆａｍｉｎｅ  ＸＴＪ−４３５、Ｊｅｆｆａｍｉｎｅ  ＸＴＪ−４３６。
【００４８】
式（ＩＶ）、（Ｖ）及び（ＶＩ）の化合物の多くは、それらの合成法の本質から、ランダムポリマー混合物として存在し、そのために、それらを反応させることによっても、再度混合物が生成する。出発化合物の選択に依存して、式（Ｉ）の化合物の合成からは、同様にして本発明の主題の一部を形成する、対象の組成物が生成する。
【００４９】
上述の反応は、好ましくは８０〜２５０℃、より好ましくは１１０〜２１０℃の温度で、触媒の存在下又は不在下で実施される。好適な触媒の例は、ルイス酸触媒であって、そのようなものとしてはたとえば、金属ハロゲン化物、金属酸化物、カルボン酸金属塩及び有機金属化合物が挙げられる。
その反応は、無溶媒、不活性溶媒中、又は不活性溶媒混合物中で実施することができる。
【００５０】
溶媒を使用しない場合には、使用する式（ＩＶ）、（Ｖ）又は（ＶＩ）の化合物を過剰に使用して、有利に実施される。好適な溶媒として以下のものが挙げられる：アルコール類たとえば、ｎ−ブタノール、ｎ−ペンタノール、１−メトキシ−２−プロパノール、２−エチルヘキサノール、２−メチル−１−ブタノール、イソアミルアルコール、ベンジルアルコール、シクロヘキサノール、グリコール及びそれらの誘導体たとえば、エチレングリコールジエチルエーテル、エチレングリコールモノメチルエーテル、エチレングリコールモノエチルエーテル、エチレングリコールモノイソプロピルエーテル、エチレングリコールモノブチルエーテル、ジエチレングリコールジメチルエーテル、ジエチレングリコールジエチルエーテル、ジエチレングリコールモノメチルエーテル、エチレングリコール、ジエチレングリコールモノエチルエーテル、ジプロピレングリコール、エーテル類たとえば、ジブチルエーテル、ジイソブチルエーテル、ジイソアミルエーテル、ジ−ｎ−アミルエーテル、塩素化溶媒類たとえば、クロロベンゼン若しくは１，２−ジクロロベンゼン、又はさらなる極性若しくは無極性の不活性溶媒類たとえば、エチルベンゼン、アニソール、Ｎ，Ｎ−ジメチルホルムアミド、Ｎ，Ｎ−ジメチルアセトアミド、スルホラン、Ｎ−メチルピロリドン、トルエン、１，２−キシレン、１，３−キシレン、１，４−キシレン、又はそれらの混合物。
【００５１】
式（Ｉ）の化合物を合成した後、それらを濾過、抽出又は蒸発、そして必要があれば乾燥させて単離することができる。しかしながら、さらなる作業を施すことなく、使用することもできる。
本発明による式（Ｉ）の化合物は、ポリマーの着色に直接使用することもできるし、あるいは、それらを仕上（コンディショニング）操作にかけることによりそれらを二次加工して、販売可能な染料調製物とする。
仕上操作は、単一の式（Ｉ）の化合物から、又は２種以上の式（Ｉ）の化合物の混合物から、又は１種又は複数の式（Ｉ）の化合物とその他の染料タイプたとえば顔料若しくは油溶性染料の染料との混合物から、適切であるならば、助剤たとえば表面変性剤及び分散剤の助けを借りて、液体若しくは固体のキャリヤー物質の中に分散、懸濁又は溶解させ、さらには適切であるならば、所望の色強度及び所望の色相に標準化させ、そして適切であるならばそのようにして得られた調製物を乾燥させることにより、実施することができる。
【００５２】
式（Ｉ）の化合物を含む染料調製物には、粘度又は流動性を改良するための助剤をさらに含んでいてもよい。
そのタイプの適切な助剤は、たとえば米国特許第６，６０５，１２６号明細書に記載されている。好適な例としては、エチレングリコール、プロピレングリコール、ポリエーテルポリオール、ポリエステルポリオール、ラクトン、及び炭酸エステルが挙げられる。
したがって、本発明はさらに、１種又は複数の式（Ｉ）の化合物と、粘度又は流動性を改良するための１種又は複数の助剤とを含む染料調製物も提供する。
それらの染料調製物には、いずれも染料調製物を基準にして、５％〜１００重量％の量の１種又は複数の式（Ｉ）の化合物と、０％〜９５重量％の量の粘度又は流動性を改良するための１種又は複数の助剤とを含んでいるのが好ましい。
【００５３】
本発明はさらに、ポリマーを着色するための、本発明による式（Ｉ）の化合物の使用も提供する。可能な手順は、式（Ｉ）の化合物をポリマーと混合する方法である。
さらに、本発明による式（Ｉ）の化合物を、マスターバッチの形態で使用することもまた可能である。マスターバッチは、キャリヤー物質と着色剤とからなる染料コンセントレートであって、その着色剤が、最終用途の場合よりも高い濃度で存在しており、またそのキャリヤー物質は、着色される物質との相溶性を有するように構成されている。使用されるキャリヤー物質は、ポリマー、たとえばポリオレフィン、ポリ塩化ビニル、ポリエステル、ポリアミド、ポリカーボネート、又はポリスチレンとすることができる。好適なポリマーは、ポリオレフィン、たとえばポリエチレン又はポリプロピレン、及びポリオレフィンとのコポリマーである。有用なキャリヤー物質としては、パラフィンオイル及びポリグリコールがさらに挙げられる。それらの染料マスターバッチは特に、それらが、５％〜６０重量％の量の１種又は複数の本発明による式（Ｉ）の化合物と４０％〜９５重量％の量の１種又は複数のキャリヤー物質とを含むことを特徴としている。
【００５４】
式（Ｉ）の化合物は、市販されている油溶性染料に比較して、特にポリオレフィン物質の着色において、ブリード／移行堅牢性において利点を有している。それらの利点は、ポリプロピレン、ポリプロピレンコポリマー及びポリプロピレンブレンド物の着色において特に顕著である。着色されたポリマーにおいて良好な耐ブリード堅牢性を達成するためには、十分に高いモル質量を有する式（Ｉ）の化合物を使用するのが好ましい。
本発明を説明するために以下の実施例を挙げるが、本発明がそれらの実施例に限定されることはない。部及びパーセントは、特に記さない限り、重量基準である。重量部と容積部の関係は、キログラムとリットルの関係に等しい。
以後において述べるＪｅｆｆａｍｉｎｅ（登録商標）製品は、Ａｌｄｒｉｃｈ、Ｆｌｕｋａ若しくはＭｅｒｃｋからファインケミカルズとして得られたか、又はＨｕｎｔｓｍａｎから研究用サンプルとして得られたものである。
【実施例】
【００５５】
実施例１
ａ）１．１４部の１，１３−ジアミノ−４，７，１０−トリオキサトリデカン、１００部のｎ−ペンタノール、及び１．７５部の式（ＩＩＩｆ）の化合物の混合物を、その混合物の沸騰温度で還流させながら１０時間撹拌し、冷却し、濾過し、エタノールと希炭酸ナトリウム溶液と水とを用いてその濾過残渣を洗浄し、乾燥させると、式（Ｉｂａ）の化合物が残る。
ｂ）１ｇのａ）により得られた染料を乳鉢の中で微粉砕し、２ｋｇのポリプロピレンペレット（Ｂａｓｅｌｌ製のＭｏｐｌｅｎ  ＲＰ３４０Ｒ）の中にすべて添加する。ローラーミル上でこの混合物を粉砕して均質化させてから、二軸スクリュー押出機（Ｌｅｉｓｔｒｉｔｚ製のＺＳＥ  １８ＨＰ−Ｄ４０）で押出して、ペレット化させる。得られたペレットを、射出成形機（Ａｒｂｕｒｇ製の４２０  Ｃ  １０００−１００）で加工して、透明で青色のサンプルプラックを成形することができる。その染料は、ｐｒＥＮ１４４６９−４において良好な耐ブリード堅牢性、ＥＮ１２８７７−２において熱に対する高い色安定性、そしてＥＮ  ＩＳＯ  １０５−Ｂ０１において高い耐光堅牢性を有している。
【００５６】
実施例２
１．１５部の式（ＩＶａ）の市販の化合物
【００５７】
【化３５】
2012500876.tif 000037
［式中、ｎは約２．５］（Ｊｅｆｆａｍｉｎｅ（登録商標）Ｄ−２３０）、１００部のｎ−ペンタノール、及び３．７部の式（ＩＩＩｆ）の化合物の混合物を、その混合物の沸騰温度で還流させながら８時間撹拌し、冷却し、濾過し、エタノールと希炭酸ナトリウム溶液と水とを用いてその濾過残渣を洗浄し、乾燥させると、式（Ｉｂｂ）の化合物が残る。
【００５８】
実施例３
２．１１部の式（ＩＶａ）の市販の化合物［式中、ｎは約６．１］（Ｊｅｆｆａｍｉｎｅ（登録商標）Ｄ−４００）、１００部のｎ−ペンタノール、及び３．７部の式（ＩＩＩｆ）の化合物の混合物を、その混合物の沸騰温度で還流させながら８時間撹拌し、冷却し、濾過し、エタノールと希炭酸ナトリウム溶液と水とを用いてその濾過残渣を洗浄し、乾燥させると、式（Ｉｂｃ）の化合物が残る。
【００５９】
実施例４
ａ）１．３２部の式（Ｖａ）の市販の化合物
【００６０】
【化３６】
2012500876.tif 000038
［式中、（ｘ＋ｙ＋ｚ）は５〜６］（Ｊｅｆｆａｍｉｎｅ（登録商標）Ｔ−４０３）、１００部のｎ−ペンタノール、及び２．７７部の式（ＩＩＩｆ）の化合物の混合物を、その混合物の沸騰温度で還流させながら６時間撹拌し、冷却し、濾過し、エタノールと希炭酸ナトリウム溶液と水とを用いてその濾過残渣を洗浄し、乾燥させると、式（Ｉｃａ）の化合物が残る。
ｂ）１ｇのａ）により得られた染料を乳鉢の中で微粉砕し、２ｋｇのポリプロピレンペレット（Ｂａｓｅｌｌ製のＭｏｐｌｅｎ  ＲＰ３４０Ｒ）の中にすべて添加する。ローラーミル上でこの混合物を粉砕して均質化させてから、二軸スクリュー押出機（Ｌｅｉｓｔｒｉｔｚ製のＺＳＥ  １８ＨＰ−Ｄ４０）で押出して、ペレット化させる。得られたペレットを、射出成形機（Ａｒｂｕｒｇ製の４２０  Ｃ  １０００−１００）で加工して、透明で青色のサンプルプラックを成形することができる。その染料は、ｐｒＥＮ１４４６９−４において良好な耐ブリード堅牢性、ＥＮ１２８７７−２において熱に対する高い色安定性、そしてＥＮ  ＩＳＯ  １０５−Ｂ０１において高い耐光堅牢性を有している。
ｃ）２００ｇの４ａ）により得られた染料を、乳鉢の中で微粉砕し、１．８ｋｇのポリプロピレンペレット（Ｂａｓｅｌｌ製のＭｏｐｌｅｎ  ＲＰ３４０Ｒ）の中にすべて添加する。ローラーミル上でこの混合物を粉砕して均質化させてから、二軸スクリュー押出機（Ｌｅｉｓｔｒｉｔｚ製のＺＳＥ  １８ＨＰ−Ｄ４０）で押出して、ペレット化させる。
【００６１】
そのようにして得られたマスターバッチペレット４０ｇを、１．９６ｋｇのポリプロピレンペレット（Ｂａｓｅｌｌ製のＭｏｐｌｅｎ  ＲＰ３４０Ｒ）と混合し、次いで、二軸スクリュー押出機（Ｌｅｉｓｔｒｉｔｚ製のＺＳＥ  １８ＨＰ−Ｄ４０）で押出して、ペレット化させる。
得られたペレットを、射出成形機（Ａｒｂｕｒｇ製の４２０  Ｃ  １０００−１００）で加工して、透明で青色のサンプルプラックを成形することができる。その染料は、ｐｒＥＮ１４４６９−４において良好な耐ブリード堅牢性、ＥＮ１２８７７−２において熱に対する高い色安定性、そしてＥＮ  ＩＳＯ  １０５−Ｂ０１において高い耐光堅牢性を有している。
【００６２】
実施例５
２２．７３部の式（ＩＶｂ）の市販の化合物
【００６３】
【化３７】
2012500876.tif 000039
（Ｊｅｆｆａｍｉｎｅ（登録商標）ＥＤ−２００１）及び７．４部の式（ＩＩＩｆ）の化合物を加熱して１４０℃とし、その温度で７時間撹拌する。冷却してから、その反応混合物を塩化メチレン中に溶解させ、その溶液を濾過し、希炭酸ナトリウム溶液と希塩酸と水をと用いてその濾液を洗浄し、硫酸ナトリウムを用いて乾燥させ、真空中で有機溶媒を蒸発させると、式（Ｉｂｌ）の化合物が残る。
【００６４】
実施例６
４０部の式（ＩＶａ）の市販の化合物［式中、ｎは約６８］（Ｊｅｆｆａｍｉｎｅ（登録商標）Ｄ−４０００）及び６．１７部の式（ＩＩＩｆ）の化合物の混合物を、加熱して１４０℃とし、その温度で８時間撹拌する。冷却してから、その反応混合物を塩化メチレン中に溶解させ、その溶液を濾過し、希炭酸ナトリウム溶液と希塩酸と水とを用いてその濾液を洗浄し、硫酸ナトリウムを用いて乾燥させ、真空中で有機溶媒を蒸発させると、式（Ｉｂｅ）の化合物が残る。
【００６５】
実施例７
２０部の式（ＩＶａ）の市販の化合物［式中、ｎは約３３］（Ｊｅｆｆａｍｉｎｅ（登録商標）Ｄ−２０００）及び６．１７部の式（ＩＩＩｆ）の化合物の混合物を、加熱して１４０℃とし、その温度で８時間撹拌する。冷却してから、その反応混合物を塩化メチレン中に溶解させ、その溶液を濾過し、希炭酸ナトリウム溶液と希塩酸と水とを用いてその濾液を洗浄し、硫酸ナトリウムを用いて乾燥させ、真空中で有機溶媒を蒸発させると、式（Ｉｂｄ）の化合物が残る。
【００６６】
実施例８
ａ）２０部の式（ＩＶｃ）の市販の化合物
【００６７】
【化３８】
2012500876.tif 000040
［式中、ｙは約３９、（ｘ＋ｚ）は約６］（Ｊｅｆｆａｍｉｎｅ（登録商標）ＥＤ−２００３）及び６．１７部の式（ＩＩＩｆ）の化合物を、加熱して１４０℃とし、その温度で８時間撹拌する。冷却してから、その反応混合物を塩化メチレン中に溶解させ、その溶液を濾過し、希炭酸ナトリウム溶液と希塩酸と水とを用いてその濾液を洗浄し、硫酸ナトリウムを用いて乾燥させ、真空中で有機溶媒を蒸発させると、式（Ｉｂｉ）の化合物が残る。
ｂ）３ｇのａ）により得られた染料を、８ｍＬの塩化メチレン（ＤＹＧＧ３２０５）の中に溶解させ、２ｋｇのポリプロピレンペレット（Ｂａｓｅｌｌ製のＭｏｐｌｅｎ  ＲＰ３４０Ｒ）に添加し、次いでロータリーエバポレーター中で塩化メチレンを除去する。乾燥させたペレットを、二軸スクリュー押出機（Ｌｅｉｓｔｒｉｔｚ製のＺＳＥ  １８ＨＰ−Ｄ４０）で押出し成形し、ペレット化させる。得られたペレットを、射出成形機（Ａｒｂｕｒｇ製の４２０  Ｃ  １０００−１００）で加工して、青色のサンプルプラックを成形することができる。その染料は、ｐｒＥＮ１４４６９−４において極めて良好な耐ブリード堅牢性を有している。
【００６８】
実施例９：
２．２部の式（ＩＶｄ）の市販の化合物
【００６９】
【化３９】
2012500876.tif 000041
（Ｊｅｆｆａｍｉｎｅ（登録商標）ＥＤＲ−１７６）、７．０部の式（ＩＩＩｇ）の化合物、及び１５０部のｎ−ペンタノールをその還流点にまで加熱し、その温度で８時間加熱する。冷却してから、その反応混合物を濾過し、温メタノールを用いて得られた沈殿物を洗浄し、真空中で乾燥させると、式（Ｉｂｋ）の化合物が残る。
【００７０】
比較例１
１ｇの次式の構造の染料Ｃｏｌｏｕｒ  Ｉｎｄｅｘ  Ｄｉｓｐｅｒｓｅ  Ｂｌｕｅ  ６０を、
【００７１】
【化４０】
2012500876.tif 000042
乳鉢の中で微粉砕し、２ｋｇのポリプロピレンペレット（Ｂａｓｅｌｌ製のＭｏｐｌｅｎ  ＲＰ３４０Ｒ）にすべて添加する。ローラーミル上でこの混合物を粉砕して均質化させ、次いで二軸スクリュー押出機（Ｌｅｉｓｔｒｉｔｚ製のＺＳＥ  １８ＨＰ−Ｄ４０）で押出して、ペレット化させる。得られたペレットを、射出成形機（Ａｒｂｕｒｇ製の４２０  Ｃ  １０００−１００）で加工して、透明で青色のサンプルプラックを成形することができる。
そのようにして得られた製品並びに実施例１、４及び８により得られた製品のｐｒＥＮ１４４６９−４耐ブリード堅牢性を実施したが、それらの結果を以下に示す。
【００７２】
【表１】
2012500876.tif 000043
【国際調査報告】
2012500876.tif 000058
2012500876.tif 000059
2012500876.tif 000060